(57)【要約】【課題】皮膚を洗浄及び手入れするための装置と方法を提供する。【解決手段】ほ乳類の皮膚のための洗浄装置は、第１の表面から伸び、約１：５から１０：１のアスペクト比を有する複数の弾性クレンジングフィーチャを有するクレンジングヘッドを含む。クレンジングヘッドは、約５Ｈｚから３０Ｈｚの周波数で、振動あたり約２ｍｍから８ｍｍの総ディスプレイスメントを提供する１以上のクレンジングヘッド部へ振動運動を与えるために適合された取っ手に取り付けられる。【選択図】図１Ａ
2017524481.tif 000002
【特許請求の範囲】
【請求項１】
取っ手と、
前記取っ手の中に配置され、作動装置が取り付けられた電気モータと、
第１の主要表面と第２の主要表面を有するクレンジングヘッドと、
を備え、
前記モータと前記作動装置は、約５Ｈｚから３０Ｈｚの周波数で振動運動を与えるように適合され、
前記第１の主要表面は前記第１の表面から離れるようにのび、約１：５から１０：１のアスペクト比を有する複数のエラストマクレンジングフィーチャを有し、
前記作動装置は、それが振動運動するようにクレンジングヘッドの第２の表面に取り付けられ、
前記振動運動は、振動あたり約０．５ｍｍから８ｍｍの総変位を提供する洗浄装置。
【請求項２】
前記クレンジングヘッドが２以上のクレンジングヘッド部に分割されている請求項１に記載の洗浄装置。
【請求項３】
前記振動がアーチ型または円型の振動である請求項１または２に記載の洗浄装置。
【請求項４】
前記クレンジングヘッドの前記第１の表面は、２以上の前記クレンジングフィーチャの形状、相対的な前記クレンジングフィーチャの配置、または両方から構成される請求項１乃至３のいずれか１項に記載の洗浄装置。
【請求項５】
前記第１の主要表面は、１平方センチメートルあたり２から１００の前記クレンジングフィーチャを有する請求項１乃至４のいずれか１項に記載の洗浄装置。
【請求項６】
前記クレンジングフィーチャが前記クレンジングヘッドの前記第１の表面と一体となっている請求項１乃至５のいずれか１項に記載の洗浄装置。
【請求項７】
前記エラストマは、完全可逆ひずみが約５％−７００％、ショア硬度約１０−５０、及び人の顔の皮膚に対する摩擦係数が約０．２−０．８の特性でしめされている請求項１乃至６のいずれか１項に記載の洗浄装置。
【請求項８】
前記クレンジングフィーチャが基礎の設置面で最も長い部分が約０．１ｍｍから１０ｍｍで、約０．５ｍｍから５ｍｍの高さを有する角柱または角柱錐台を有する請求項１乃至７のいずれか１項に記載の洗浄装置。
【請求項９】
前記エラストマは、ポリジメチルシロキサンまたは熱可塑性ポリウレタンを有する請求項１乃至８のいずれか１項に記載の洗浄装置。
【請求項１０】
前記エラストマは、抗菌性の銀組成物を有する請求項１乃至９のいずれか１項に記載の洗浄装置。
【請求項１１】
前記総変位は、約０．５ｍｍから１２ｍｍである請求項１乃至１０のいずれか１項に記載の洗浄装置。
【請求項１２】
前記作動装置は、分離可能に前記クレンジングヘッドの前記第２の主要表面に取り付けられる請求項１乃至１１のいずれか１項に記載の洗浄装置。
【請求項１３】
さらに前記クレンジングヘッドの前記第１の主要表面の少なくとも一部に塗られる洗浄組成物を備える請求項１乃至１２のいずれか１項に記載の洗浄装置。
【請求項１４】
前記取っ手は約５Ｈｚから３０Ｈｚの範囲を超えた前記振動運動周波数、または約０．５ｍｍから１２ｍｍの範囲を超えた前記総変位、または両方を調整するための１以上の調整制御機能を備える請求項１乃至１３のいずれか１項に記載の洗浄装置。
【請求項１５】
前記１以上の調整制御機能は、段階制御機能である請求項１４に記載の洗浄装置。
【請求項１６】
単一の調整制御機能は、前記振動運動周波数及び前記総変位の両方を調節するために適合される請求項１４に記載の洗浄装置。
【請求項１７】
取っ手の付いた装置と、
前記取っ手の中に配置され、作動装置が取り付けられた電気モータと、
第１の主要表面と第２の主要表面を有し、２以上のクレンジングヘッド部に分割される実質的に平面のクレンジングヘッドと、
前記クレンジングヘッドの振動運動の間、皮膚の表面と摩擦接触するクレンジングフィーチャのスティックスリップ動作のスティック部分を減らす液体、分散、ローション、ジェル、セラム、または溶液からなる群から選ばれた洗剤と、
を備え、
前記モータ及び前記作動装置は、約５Ｈｚから３０Ｈｚの周期で前記振動運動を与えるために適合され、
前記第１の主要表面は、前記第１の表面から離れ、約１：５から１０：１のアスペクト比を有する複数のエラストマクレンジングフィーチャを有し、
前記作動装置は、振動あたり約０．５ｍｍから８ｍｍの総変位を有する１以上の前記クレンジングヘッド部に前記振動運動を与えるために前記クレンジングヘッドの前記第２の主要表面に取り付けられる皮膚洗浄システム。
【請求項１８】
さらに、実質的に平らな前記クレンジングヘッドの振動の振幅の制御、実質的に平らな前記クレンジングヘッドの振動の周波数の制御、システムの処理サイクルの期間または処理サイクルの部分、および装置の使用者表示からなる群から選択された１以上の機能を制御するための前記電気モータと接続する制御システムを備える請求項１７に記載の皮膚洗浄システム。
【請求項１９】
前記クレンジングフィーチャが約１平方ｍｍ以上の皮膚と実質的に連続接触表面を有する請求項１７または請求項１８に記載の皮膚洗浄システム。
【請求項２０】
前記クレンジングフィーチャが約１平方ｍｍから５平方ｍｍの皮膚と実質的に連続接触表面を有する請求項１７または請求項１８に記載の皮膚洗浄システム。
【請求項２１】
第１及び第２のエラストマクレンジングフィーチャをそれぞれ備える第１及び第２の皮膚クレンジングヘッド部と、
前記第１及び前記第２の皮膚クレンジングヘッド部によって定義され、その間に配置されている反対運動境界と、
を備え、
前記第１及び前記第２の皮膚クレンジングヘッド部の両方は、前記第１及び前記第２の皮膚クレンジングヘッド部に共通な平面で回帰性の動きで他方と関連して動くようにされる皮膚洗浄装置。
【請求項２２】
前記第１及び第２のクレンジングヘッド部は同じパターンの前記フィーチャを備える請求項２１に記載の洗浄装置。
【請求項２３】
前記第１の皮膚クレンジングヘッド部は、円であり、前記第２の皮膚クレンジングヘッド部は、環状で、前記第１の皮膚クレンジングヘッド部の周りに配置されている請求項２１または請求項２２に記載の洗浄装置。
【請求項２４】
前記回帰性の動きは、前記第１及び前記第２の皮膚クレンジングヘッド部と共通な平面と垂直な方向に部品を備える請求項２１乃至２３のいずれか１項に記載の洗浄装置。
【発明の詳細な説明】
【技術分野】
【０００１】
この出願は、２０１４年８月１３日に出願された米国仮特許出願６２／０３６，７８５と、２０１５年８月１３日に出願された米国特許出願１４／８２５，３１６の優先権を主張する。これによって、どちらも本明細書の一部として援用する。
【０００２】
本発明は、皮膚、特に顔の皮膚を洗浄及び手入れのための装置及び皮膚を洗浄及び手入れのための装置を使う方法に関する。
【背景技術】
【０００３】
皮膚は、環境に対して物理的な障壁を形成し、微生物に対して保護し、水、電解質、紫外線放射及びと毒物の内部及び外部への通過を制限及び許容することを含むいくつかの重要な機能のための人間の体の最も大きな器官である。皮膚の中に、表皮、真皮、皮下組織の３つの構造層がある。ケラチノサイトは表皮の中に見つけられる主要な細胞の型である。線維芽細胞は、真皮細胞の中の主たる細胞の型である。真皮は支持する細胞外マトリクスからなり、皮膚の表面に平行に広がるコラーゲンの束を有する。真皮の中の線維芽細胞の役割は、コラーゲン、エラスチン、及び構造上のプロテオグリカンを生産することができる。コラーゲン繊維は、真皮の７０パーセントを構成しており、エラスチンが通常の弾力性及び柔軟性を提供する一方で、強さ及びタフさを与える。プロテオグリカンは粘性及び水和作用を提供する。形質転換成長因子β（ＴＧＦ−β）は、人間の皮膚の結合組織における細胞外の基質生産物の調整に関連される。この因子も、創傷治癒のプロセスにおいて重要である。皮膚も、神経が分布され、血管が通っており、少ない数の免疫細胞（例えば、肥満細胞、組織マクロファージ）を有している。
【０００４】
人間の皮膚の老化は、変色、しわ、たるみ効果に関連している。老化に関連するこれらの成長は、徐々に乾燥、しわ、たるみ、不規則の変色として人間の皮膚に劇的に表れる。典型的に、老化した皮膚は、真皮・上皮接合部の平坦化、増加された萎縮、真皮結合組織の弾力性の損失という性質をもっている。堅さと弾力性の損失は、コラーゲンＩ（しわを形成することを第１に引き起こすことに関連する）、エラスチン、及び大小のプロテオグリカン及びグリコサミノグリカンを含む主要な細胞外要素の減少／喪失と分裂に共通に関連している。老化している皮膚も、コラーゲンの減少した生成と、損なわれた創傷治癒の結果となる減少したＴＧＦ−βを有する。人間の皮膚の老化の組織学的分析は、組織の厚さの減少、コラーゲンの分裂、機能しないエラスチンの蓄積を明らかにした。
【０００５】
手で持って操作できる皮膚の洗浄装置は、効果的に顔の皮膚を洗浄するために化粧目的で使われる。いくつかの場合、装置は、皮膚の剥奪、平滑化／リサーフェシング、または念入りの洗浄のような追加の利益を要求する。そのような装置は、１以上の別々の電気的に電源を供給された、皮膚に対して毛ブラシやパッドの機械的な動作を提供するために振動したり、揺れたり、それが組み合せられた、ブラシや不織布パッドを有する。典型的に洗剤は、ブラシやパッドに塗られる。これらの装置の洗浄の効果は、ブラシやパッドのタイプ、かけられた圧力、洗剤のタイプによる。
【０００６】
多くのうちの１つの例は、カリフォルニア  ラグナヒルズのＰＲＥＴＩＫＡ社によって販売されている音波皮膚剥離の顔用ブラシＳＴ２５５である。そのブラシは、回転する手持ちの丸い毛ブラシヘッドを含んでいる。別の例は、韓国のＰｏｂｌｉｎｇ  ｏｆ  Ｓｅｏｕｌから販売されている毛穴音波洗浄機であり、振動する長方形のブラシを含んでいる。さらなる例は、２０１２年９月２０日に公開された電気皮膚ブラシ製品のブラシヘッドの米国公開特許公報２０１２／０２３３７９８に見つけられる。別の例は、ワシントンのレドモンドのＣＬＡＲＩＳＯＮＩＣによって販売されているＭＩＡ１、ＭＩＡ２、及びＭＩＡ３である。さらなる例は、オハイオのシンシナティのＰｒｏｃｔｅｒ & Ｇａｍｂｌｅ社によって販売されているＰＲＯ  Ｘ  顔ブラシである。多くのこれら似た例がデパート、薬局、オンラインで見つけられる。
【先行技術文献】
【特許文献】
【０００７】
【特許文献１】米国公開特許公報２０１２／０２３３７９８
【発明の概要】
【発明が解決しようとする課題】
【０００８】
そのような、回転及び／または振動するヘッドは、顔をきれいにすることについて手の使用よりも優れたクリーニング動作を提供する。しかしながら、ブラシとパッドは皮膚細胞の最上層の表面にのみ届く。ブラシの先端は、排泄物や死んだ細胞が捕らえられた細胞間や他の細かい皮膚の主要なものの間の間質腔に効果的に届かず、それゆえそのような空間をきれいにできない。加えて、ブラシは清潔にすることが難しいあるいは不可能なブラシの根元部において、洗剤、排泄物、バクテリア、死んだ皮膚細胞の組み合わせで作り上げられがちである。最後に、洗顔に使われるブラシは、持ち上がりがちで、顔の皮膚の細胞を取り除かない。それゆえブラシは実際に皮膚荒れ効果をもつ。
【課題を解決するための手段】
【０００９】
ここで開示されるのは、取っ手と、前記取っ手の中に配置され、作動装置が取り付けられた電気モータと、第１の主要表面と第２の主要表面を有するクレンジングヘッドと、
を備え、前記モータと前記作動装置は、約５Ｈｚから３０Ｈｚの周波数で振動運動を与えるように適合され、前記第１の主要表面は前記第１の表面から離れるようにのび、約１：５から１０：１のアスペクト比を有する複数のエラストマクレンジングフィーチャを有し、前記作動装置は、それが振動運動するようにクレンジングヘッドの第２の表面に取り付けられ、前記振動運動は、振動あたり約０．５ｍｍから８ｍｍの総変位を提供する洗浄装置である。
【００１０】
ある実施形態では、振動は、円型の振動であり、少なくとも１つのクレンジングヘッド部は円型または環状である。ある実施形態では、少なくとも２つのクレンジングヘッド部はお互いに関連して反対の振動をするために適合される。ある実施形態では、クレンジングヘッドの第１の表面は、２以上のクレンジングフィーチャの形状、関連するクレンジングフィーチャ位置または両方を含む。ある実施形態では、エラストマは約５％から７００％の完全可逆のひずみ、約１０から５０のショア硬度、約０．２５から０．７５の摩擦係数によって特徴付けられる。ある実施形態では、クレンジングフィーチャは、基礎の設置面で最も長いところが約０．１ｍｍから１０ｍｍのと約０．５ｍｍから５ｍｍの高さを有する角柱のまたは角柱錐台形状を含む。ある実施形態では、エラストマは１またはそれ以上の永続的または一時的な添加剤を含む。いくつかのそのような実施形態では、１以上の永続的なまたは一時的な添加剤は、抗菌性の組成物、研磨の組成物、洗剤またはトリートメントの組成物、またはそれらの組み合わせを含む。ある実施形態では、総変位は、約０．５ｍｍから８ｍｍである。
【００１１】
ここで開示されるのは、取っ手の付いた装置と、前記取っ手の中に配置され、作動装置が取り付けられた電気モータと、第１の主要表面と第２の主要表面を有し、２以上のクレンジングヘッド部に分割される実質的に平面のクレンジングヘッドと、前記クレンジングヘッドの振動運動の間、皮膚の表面と摩擦接触するクレンジングフィーチャのスティックスリップ動作のスティック部分を減らす液体、分散、ローション、ジェル、セラム、または溶液からなる群から選ばれた洗剤と、を備え、前記モータ及び前記作動装置は、約５Ｈｚから３０Ｈｚの周期で前記振動運動を与えるために適合され、前記第１の主要表面は、前記第１の表面から離れ、約１：５から１０：１のアスペクト比を有する複数のエラストマクレンジングフィーチャを有し、前記作動装置は、振動あたり約０．５ｍｍから８ｍｍの総変位を有する１以上の前記クレンジングヘッド部に前記振動運動を与えるために前記クレンジングヘッドの前記第２の主要表面に取り付けられる皮膚洗浄システムである。
【発明の効果】
【００１２】
追加の利点と装置の新規な特徴は、続く明細書に部分的に説明され、部分的に分野の知識を有する人に対して次の試験で明らかにされるだろう。
【図面の簡単な説明】
【００１３】
【図１Ａ】洗浄装置及び動作発生サブアセンブリの概略図。
【図１Ｂ】洗浄装置及び動作発生サブアセンブリの概略図。
【図１Ｃ】洗浄装置及び動作発生サブアセンブリの概略図。
【図１Ｄ】洗浄装置及び動作発生サブアセンブリの概略図。
【図１Ｅ】洗浄装置及び動作発生サブアセンブリの概略図。
【図１Ｆ】洗浄装置及び動作発生サブアセンブリの概略図。
【図１Ｇ】洗浄装置及び動作発生サブアセンブリの概略図。
【図１Ｈ】洗浄装置及び動作発生サブアセンブリの概略図。
【図１Ｉ】洗浄装置及び動作発生サブアセンブリの概略図。
【図２】洗浄装置に結合された例となる有益なクレンジングフィーチャ形状の数を示す図。
【図３Ａ】クレンジングヘッド部変位を説明する図。
【図３Ｂ】クレンジングヘッド部変位を説明する図。
【図３Ｃ】クレンジングヘッド部変位を説明する図。
【図３Ｄ】クレンジングヘッド部変位を説明する図。
【図３Ｅ】クレンジングヘッド部変位を説明する図。
【図３Ｆ】クレンジングヘッド部変位を説明する図。
【図４Ａ】図３Ａのクレンジングヘッド部変位の追加の詳細を説明する図。
【図４Ｂ】図３Ａのクレンジングヘッド部変位の追加の詳細を説明する図。
【図５Ａ】図３Ｄのクレンジングヘッド部変位の追加の詳細を説明する図。
【図５Ｂ】図３Ｄのクレンジングヘッド部変位の追加の詳細を説明する図。
【図６】概略ブロック図における洗浄装置で使われている制御の１実施形態を説明する図。
【図７】洗浄装置を使う方法の１実施形態のフローチャートを表した図。
【図８】スティックスリップ動作（静的及び動的摩擦）の理論的物理的要素を説明する図。
【図９Ａ】（８Ａ）コラーゲンＩの発現における静的圧縮負荷型の効果を示すプロットである。
【図９Ｂ】（８Ｂ）ＴＧＦ−βの発現における静的圧縮負荷型の効果を示すプロットである。
【図１０Ａ】（９Ａ）コラーゲンＩの発現における動的圧縮負荷型の効果を示すプロットである。
【図１０Ｂ】（９Ｂ）ビグリカンの発現における動的圧縮負荷型の効果を示すプロットである。
【図１０Ｃ】（９Ｃ）デコリンの発現における動的圧縮負荷型の効果を示すプロットである。
【図１０Ｄ】（９Ｄ）ＴＧＦ−βの発現における動的圧縮負荷型の効果を示すプロットである。
【図１１Ａ】実施形態において伸ばすことによってシリコーンフィルムを皮膚のモデルとして使われたフィルムの変位を測定するために使われた印のパターン、及び実施形態においてそのフィルムの変位を示したものである。
【図１１Ｂ】実施形態において伸ばすことによってシリコーンフィルムを皮膚のモデルとして使われたフィルムの変位を測定するために使われた印のパターン、及び実施形態においてそのフィルムの変位を示したものである。
【図１１Ｃ】実施形態において伸ばすことによってシリコーンフィルムを皮膚のモデルとして使われたフィルムの変位を測定するために使われた印のパターン、及び実施形態においてそのフィルムの変位を示したものである。
【図１２】皮膚のなめらかさが不足かどうかの評価を示す図。
【図１３】顔の皮膚の柔らかさが不足かどうかの評価を示す図。
【図１４】顔の皮膚の毛穴が存在するかどうかの評価を示す図。
【図１５】乏しい顔の皮膚の質感かどうかの評価を示す図。
【図１６】顔の皮膚の透明さが不足かどうかの評価を示す図。
【図１７】顔の皮膚の輝きが不足かどうかの評価を示す図。
【図１８】全体として顔の皮膚の外観がどうかの評価を示す図。
【図１９】顔の皮膚の洗浄能力が不足かどうかの評価を示す図。
【図２０】３次元の円錐型を有するクレンジングヘッドを説明している図。
【図２１Ａ】組織を取り替えるためにピン８０２を使って皮膚に力を一般的に垂直に伝えるための１実施形態の部品を説明する図。
【図２１Ｂ】組織を取り替えるためにピン８０２を使って皮膚に力を一般的に垂直に伝えるための１実施形態の部品を説明する図。
【図２２Ａ】インタリンクスフィーチャの形状の１実施形態の上面図。
【図２２Ｂ】インタリンクスフィーチャの形状の１実施形態の側面図。
【図２３Ａ】スプリットアルファブレードフィーチャ形状の１実施形態の上面図。
【図２３Ｂ】スプリットアルファブレードフィーチャ形状の１実施形態の側面図。
【図２４Ａ】反転、非反転きのこフィーチャの上面図。
【図２４Ｂ】反転、非反転きのこフィーチャの側面図。
【発明を実施するための形態】
【００１４】
本出願の開示は、望ましい実施形態の参照を提供し、分野の通常の知識を有するものが、発明の範囲、主旨を逸脱することなく形状や詳細において変更すると認識するであろう。様々な実施形態は詳しく図面を参照して記載されており、様々な視点の至る所で、類似した文献の数は、類似の部分や機器を表す。様々な実施形態の文献は、ここで添付された特許請求の範囲を限定するものではない。加えて、本明細書に記載されたいかなる例は限定することを目的としているものではなく、ただ添付の請求項のための多くの可能な実施形態のいくつかを記載しているにすぎない。
【００１５】
＜定義＞
ここでの使用について、クレンジングヘッドという言葉は、第１の主要表面と第２の主要表面を有する物体を意味し、第１の主要表面はそれに配置された複数のクレンジングフィーチャを有し、第２の表面は、少なくとも洗浄装置の作動装置に取り付けられるよう適合される。ある実施形態では、クレンジングヘッドは２またはそれ以上の個別のクレンジングヘッド部を含み、それぞれの部は、複数のクレンジングフィーチャを含んでいる。いくつかのそのような実施形態は、１以上のクレンジングヘッド部が取っ手に取り付けられ、少なくとも１つのクレンジングヘッド部は作動装置によって動かされるために取り付けられる。いくつかの実施形態においてクレンジングヘッドの第１の主要表面は、実質的に平坦である。別の実施形態では、クレンジングヘッドは、曲線か、またはアーチ状の形状を有し、いくつかの実施形態では、半球状の形状を含む。いくつかの実施形態ではクレンジングヘッドは一般的に対称である。別の実施形態ではクレンジングヘッドは、１以上の非対称または非対称の曲線を含む。いくつかの実施形態では、クレンジングヘッドは複数のアーチ型の形状を含む。
【００１６】
ここでの使用について、クレンジングフィーチャという言葉は、取り付けられた、クレンジングヘッドの第１の主要表面から１つの方向、一般的にはそれから垂直に伸びている突起のことを意味する。第１の主要表面の１平方センチメートルあたり２から１００のクレンジングフィーチャがある。クレンジングフィーチャは１：５から１０：１（幅：高さ）のアスペクト比を有し、幅、またはｘ距離は、基礎（クレンジングヘッドの第１主要表面に交差するクレンジングフィーチャの部分）の最も長い寸法であり、及び高さ、またはｙ距離は、基礎とピーク（第１の主要表面から最も遠くはなれたクレンジングフィーチャの部分）の距離である。クレンジングフィーチャは、エラストマクレンジングフィーチャであり、それは、エラストマ組成物から形成され、ある程度は弾性的に変形可能である。クレンジングフィーチャの形状は、特に限定されない。いくつかの実施形態では、２以上のクレンジングフィーチャの形状、関連のあるクレンジングフィーチャの配置、または両方は１つのクレンジングヘッドに置かれる。いくつかの実施形態では、２以上のクレンジングフィーチャの形状、関連のあるクレンジングフィーチャの配置、または両方は１つのクレンジングヘッド部に置かれる。
【００１７】
ここでの使用について、総変位は、隣のクレンジングヘッド部、第２と相対的な第１のクレンジングヘッド部の動く最大の直線距離、それらの隣り合う端向かい合った側における２点のような、２点の隣り合う点を測定して、を意味する。正弦関数の振動運動において、振幅のピークで動く変位は、動かない隣り合うクレンジングヘッド部と相対的に測定され、総変位となる。隣り合う動かないクレンジングヘッド部も振動しており、総変位は、部の結合された動きの結果である。
【００１８】
ここでの使用について、取っ手または取っ手部は、いわば使用者の顔に向かって装置のクレンジングヘッドを促し、顔の表面に渡ってクレンジングヘッドを滑らせるために装置を操作することを使用者ができるように平均的な人間の握りにあう洗浄装置の部分を意味する。取っ手はさらにモータと、関連した配線、支持体、ＤＣまたはＡＣ／ＤＣを通してモータへ電力の応用を促進するための電源入力を含む。いくつかの実施形態では、取っ手は、モータや装置制御モジュールの電源をオンまたはオフを切り替えるスイッチを含む。いくつかの実施形態では取っ手は追加の制御を含む。
【００１９】
ここでの使用について、エラストマやエラストマ組成物は、約５％−７００％の完全可逆ひずみ、約１０から５０のショア硬度、約０．２から０．８、例えば約０．２５から０．７５の人の顔の皮膚に対する摩擦係数を有する熱可塑性のまたは熱硬化性のポリマ組成物を意味する。いくつかの実施形態において、エラストマ組成物は１以上の充填剤、架橋、または両方を含む。エラストマ組成物に使われる適切なポリマの例は、シリコーンゴム（ポリジオルガノシロキサン）、弾性のあるポリウレタン、スチレン−ブタジエンゴム（ＳＢＲ）、ブチルゴム（イソブチレン−イソプレンコポリマ）、天然または合成ポリイソプレン、ニトリルゴム（ブタジエン−アクリロニトリルゴム）、弾性のあるポリプロピレン、ＥＰＤＭ（エチレンプロピレンジエンコポリマ）、ＥＰＭ（エチレンプロピレンコポリマ）、及びそれらのコポリマや混合物と同様なその他である。
ここでの使用について、電気モータという言葉は、回転の、反転の、環状の、またはその他の直接的にまたは間接的にここで記載されている動きを起こさせるクレンジングヘッドまたはクレンジングヘッド部に連結することができる動きを発生するために電気によって動力を与えられる装置を意味する。
【００２０】
ここでの使用について、例えば、濃度、容積、プロセス温度、プロセス時間、収量、流量、圧力、及びそのような値における構成要素の量、及びそれらの範囲、を修飾し、開示の実施形態に記載に用いられている約という言葉は、例えば、化合物、組成物、濃縮物、または製剤の使用を作るために使われる典型的な測定及び処理手続きを使って、これらの手続きにおいて不注意な誤り、製造、原料、方法を実行するために使われる出発材料及び原料の純度、近接した考えにおける違いによって、起こすことができる数字上の量の変更に言及する。約という言葉は特定な最初の濃度や混合物について製剤の老化が原因で異なる量及び特定の最初の濃度や混合物について製剤を混合することや処理することが原因で異なる量も包含する。約という言葉によって修飾されたここで添付された請求項は、これらの量と等しいものを含む。
【００２１】
ここでの使用について、例えば、組成物、特性、測定可能な量、方法、位置、値、または範囲における型または構成要素の量を修飾し、開示の実施形態に記載に用いられている実質的にという言葉は、いわば対象とする組成物、特性、量、方法、位置、値、または範囲を否定する全体的に列挙された組成物、特性、量、方法、位置、値、またはそれらの範囲に影響を与えない変更に言及する。対象とする特性は、もっぱらそれらの限定されない例を通して、弾力性、係数、硬さ、及び形状を含み、対象とする位置は、第２のクレンジングフィーチャと相対的な第１のクレンジングフィーチャの位置を含む。実質的にという言葉によって修飾されたここで添付された請求項は、材料の量とこれらの型と等しいものを含む。
【００２２】
＜洗浄装置＞
ここで開示されたものは、ほ乳動物、例えば人、の皮膚を洗浄する洗浄装置である。取っ手と、前記取っ手の中に配置され、作動装置が取り付けられた電気モータと、第１の主要表面と第２の主要表面を有するクレンジングヘッドと、を備え、前記モータと前記作動装置は、約５Ｈｚから３０Ｈｚの周波数で振動運動を与えるように適合され、前記第１の主要表面は前記第１の表面から離れるようにのび、約１：５から１０：１のアスペクト比を有する複数のエラストマクレンジングフィーチャを有し、前記作動装置は、それが振動運動するようにクレンジングヘッドの第２の表面に取り付けられ、前記振動運動は、振動あたり約０．５ｍｍから８ｍｍの総変位を提供する洗浄装置である。
【００２３】
図１Ａ、１Ｂは、洗浄装置の１つの例示的な実施形態の代表図である。洗浄装置１００は図１Ａで示され、装置１００は、取っ手部１１０、オンオフスイッチ１２０及びクレンジングヘッド１４０を正しい位置におき保護する取り付け部１３０を含んでいる。クレンジングヘッド１４０の第１の主要表面１５０は、クレンジングフィーチャ１６０を含む。様々な実施形態において、取っ手部１１０はクレンジングヘッド１４０またはそれらの部品の選択された動きを作動するモータ（図示せず）を含む。クレンジングヘッド１４０の第２の主要表面（図示せず）は、いわば振動運動の作動を促進する作動装置（図示せず）に取り付けられる。図１Ｂは取っ手部１１０の中にある再充電可能なバッテリー装置へ、例えば１２０Ｖ壁プラグから、電力を供給するために充電ケーブル（図示せず）を受けるように形状が決められている再充電ポート１７０を示す。充電装置は、クレンジングヘッド１４０または１以上のそれらの部品に動きを作動させるモータや操作モジュールへ電力を供給する。
【００２４】
図１Ｃ、１Ｄは洗浄装置の代表の大きさを示す。示された実施形態では、装置の高さＨは、約１４０ｍｍから２２０ｍｍまたは約１７０ｍｍから１８０ｍｍの間である。装置の幅Ｗは、約３０ｍｍから７０ｍｍ、または約４０ｍｍから６０ｍｍの間である。装置の深さＤは約５０ｍｍから１２０ｍｍ、または約７０ｍｍから１００ｍｍの間である。
洗浄装置１００の様々な他の立体配置の実施形態は想像される。これらの実施形態のいくつかは、より詳しく下記に記載される。
【００２５】
洗浄装置のクレンジングヘッドは、第１の主要表面と第２の主要表面を有する品物であり、第１の主要表面は、それに並べられた複数のクレンジングフィーチャを有する。少なくともクレンジングフィーチャのいくつかの部分は、エラストマ組成物から形成される。いくつかの実施形態において、すべてのクレンジングフィーチャを含むクレンジングヘッドは、エラストマ組成物から形成される。他の実施形態では、クレンジングヘッドは、それの一部にエラストマ組成物を有する複合構造物であり、ここで一部とは、少なくともクレンジングヘッドの第１の主要表面の表面、及び少なくともクレンジングフィーチャの一部を含む。エラストマ組成物は、少なくとも約５％−１０００％の完全可逆ひずみ、約１０から５０のショア硬度及び約０．２０から１．２０の人の顔の皮膚（ひげや同様の実体のある顔の毛髪なしで）に対する摩擦係数（μ、組成物によって影響される特性）を有する熱可塑性または熱硬化性のポリマ組成物である。実施形態では、可逆ひずみは少なくとも１００％、または２００％そして１０００％と同程度であり、例えば７００％、または約５００％である。実施形態において、ショア硬度は約２０から４０である。実施形態において、人の皮膚に対する摩擦係数は約０．２０から１．２０、または約０．２０から１．００、または約０．２０から０．９０、または約０．２０から０．８０、または約０．２５から０．８０、または約０．２５から０．７５、または約０．３０から１．００または約０．４０から１．００、または約０．４０から０．９０、または約０．４０から０．８０、または約０．５０から１．００または約０．５０から０．９０または約０．３０から０．９０、または約０．３０から０．８０である。
【００２６】
エラストマ組成物として使われる適切なポリマの例は、架橋されたシリコーンゴム（ポリオルガノシロキサン、特にポリジメチルシロキサン）、弾性のあるポリウレタン、スチレンブタジエンゴム（ＳＢＲ）、ブチルゴム（イソブチレン−イソプレンコポリマ）、天然または合成ポリイソプレン、ニトリルゴム（ブタジエンアクリロニトリルゴム）、弾性のあるポリプロピレン、ＥＰＤＭ（エチレンプロピレンジエンゴム）、ＥＰＭ（エチレンプロピレンコポリマ）、及びそれらのコポリマや混合物と同様なその他である。いくつかの実施形態において、エラストマ組成物は架橋されたネットワークである。いくつかの実施形態において、エラストマ組成物は１以上の増量剤、可塑剤、または両方を含む。いくつかの実施形態において、エラストマ組成物はさらに１以上の着色料、熱安定剤を含み、ＵＶ安定剤、抗菌剤、及びそのようなものを含む。
【００２７】
安定なエラストマ組成物の１例は、ミシガン州ミッドランドのＤｏｗ  Ｃｏｒｎｉｎｇ社、オハイオ州コロンバスのＭｏｍｅｎｔｉｖｅ  Ｐｅｒｆｏｍａｎｃｅ  Ｍａｔｅｒｉａｌｓ社、ドイツ、ミュンヘンのＷａｃｋｅｒ  Ｃｈｅｍｉｅ社、及び日本、東京の信越化学社によって販売されたそれらのようなシリカで満たされたシリコーンエラストマである。安定なシリコーンエラストマ組成物は、イギリスのＭｏｕｌｄｌｉｆｅ  ｏｆ  Ｓｕｆｆｏｌｋによって販売されたシリコーンエラストマで満たされた２部のＳＵＰＥＲＳＩＬ（登録商標）、及びミシガン州ミッドランドのＤｏｗ  Ｃｏｒｎｉｎｇ社によって販売され１０：１の２部を混ぜたＳＹＬＧＡＲＤ（登録商標）−１８４を含む。他のエラストマ組成物を形成するために役立つ適切なエラストマポリマは、ドイツ、レバークーゼンのＢａｙｅｒ  ＭａｔｅｒｉａｌｓＳｃｉｅｎｃｅ社、テキサス州ウッドランドのＨｕｎｔｓｍａｎ  Ｉｎｔｅｒｎａｔｉｏｎａｌ社、及びその他で販売される弾性があるかまたは熱可塑性のポリウレタンを含む。
【００２８】
いくつかの実施形態では、エラストマ組成物は、１以上の添加剤を含む。添加剤は、洗浄装置を使用中に使用者にさらに利益のある結果を提供するためにクレンジングヘッド及びクレンジングヘッド表面に埋め込まれている。いくつかの実施形態では、添加剤は永続的である、すなわち、それらは使用中にクレンジングヘッド表面から使い尽くされない。他の実施形態では、添加剤は、一時的な添加剤である、すなわち、それらは使用中に使い尽くされる。添加剤の例は、皮膚の剥離またはマイクロ皮膚剥離のため、または皮膚表面に関して、クレンジングフィーチャの静摩擦またはスティックスリップレベルを調整するためのクレンジングフィーチャに、少なくとも埋め込まれる研磨粒子を含む。そのような添加剤は、適切に永続的にまたは一時的には製造者によって決定される。適切な一時的な添加剤の例は、洗浄中に使用者が皮膚を取り扱うことができる皮膚に有益な無機または有機の分子を含む。そのような分子の例は、マグネシウム、カルシウム、ビタミンＤのようなビタミン、植物由来の皮膚活性原料、抗酸化物質、及びそのようなものである。一時的な添加剤のその他の例は、クレンジングフィーチャまたはクレンジングヘッドまたはそれの部分に囲まれた中に埋め込まれる皮膚洗浄組成物である。
【００２９】
いくつかの実施形態において、１以上のクレンジングヘッドの全体の部分は、例えば置換可能なクレンジングヘッドのような、頻繁に置き換えることを対象とした消耗品である。例えば、実施形態において、１以上の一時的な添加剤は、１以上のクレンジングヘッドの部分として供給され、１以上のクレンジングヘッドを置き換える適切な時は、一時的な添加剤が消耗したときである。いくつかのそのような実施形態において、一時的な添加剤が消耗し、未使用のクレンジングヘッドが必要とされるとき、１以上のインジケータが示すためにクレンジングヘッドにある。適切なインジケータの１つの説明例は、一時的な添加剤の層の下に配置された色層であり、そのような、一時的な添加剤の消耗は使用者に視覚可能な色層の露出によって示される。他のそのようなインジケータは、通常の知識を有するものによって簡単に想像される。いくつかの実施形態において、製造者は、使用者が、１以上の一時的な添加剤の十分な量を有するクレンジングヘッドを使っていることを保証するために、指定された期間の後クレンジングヘッドを交換することを使用者に指示を与える。いくつかの実施形態においては、１以上の基板に取り付けられた電気的インジケータが使用者にクレンジングヘッドの交換するための時を知らせるために使われる。
【００３０】
有益な添加剤の別の例は、抗菌性の組成物である。有益な抗菌性の組成物は、永続的かまたは一時的であり、添加剤の特質による。例えば銀や銀（Ａｇ）組成物である。ある実施形態において、銀組成物は、微粒子である。銀組成物の１つの有益な型は、イギリス、スタンフォードのＡＤＤＭＡＳＴＥＲ社から入手可能なＢＩＯＭＡＳＴＥＲ  ＴＤ１００である。有する場合、銀組成物は、エラストマ組成物の中に分散し、エラストマ組成物の重量の重さに基づいて約０．００１ｗｔ％から５ｗｔ％または約０．０１ｗｔ％から１ｗｔ％、またはエラストマ組成物の重量の重さに基づいて約０．０５ｗｔ％から０．５ｗｔ％でクレンジングヘッドの第１主要表面を形成するために用いられる。
いくつかの実施形態においては、クレンジングフィーチャはクレンジングヘッドまたはクレンジングヘッド部にと一体となっている、すなわち、複数のクレンジングヘッド部を有するクレンジングヘッドまたはクレンジングヘッド部は、３Ｄプリンティングやそのような方法で、成形によって形成された単一の部品である。他の実施形態においては、クレンジングヘッドまたはクレンジングヘッド部は少なくともエラストマ組成物を含む表面層を有する複合構造物であり、表面層は少なくとも第１主要表面に、クレンジングフィーチャを含むように配置されている。
【００３１】
いくつかのそのような実施形態において、クレンジングヘッドは、第１の主要表面に隣接した堅い層を含む。堅い層はポリ（エチレンテレフタレン）、アクリロニトリル−ブタジエン−スチレンコポリマ、ポリカーボネート、ナイロン、アルミニウム、スチール、ガラス、それらの組み合わせ、及びそのようなもののような１以上のエラストマの熱可塑性、熱硬化性、金属、及びそれらの組み合わせで構成される。いくつかのそのような実施形態において、堅い層は第２の主要表面を形成する。
【００３２】
クレンジングフィーチャの形状は下記で詳細に記載される１以上の様々な形状から選択される。いくつかの実施形態においては、２以上のクレンジングフィーチャの形状、関連するクレンジングフィーチャの配置、またはその両方が単一のクレンジングヘッドまたはクレンジングヘッド部に位置している。
【００３３】
クレンジングフィーチャは、クレンジングヘッドの第１の主要表面から一般的に垂直な方向に伸び、取り付けられた突起である。いくつかの実施形態において、クレンジングフィーチャはクレンジングヘッドまたはクレンジングヘッド部の第１の表面と一体である、すなわち、その上の配置されたクレンジングフィーチャを含むクレンジングヘッドまたはクレンジングヘッド部は、単一の成形または加工した部品またはそれの一部である。様々な実施形態において、クレンジングフィーチャは、クレンジングフィーチャは、約１：５から１０：１（幅：高さ）のアスペクト比をもち、ここで、幅、またはｘ距離は、基礎（クレンジングヘッドの第１の主要表面と交差するクレンジングフィーチャの部分）の最大の長さであり、そして、高さ、またはｙ距離は、基礎とピーク（第１の主要表面から最も伸びたクレンジングフィーチャの部分）の間の距離である。ある実施形態において、クレンジングフィーチャのアスペクト比は、約１：５から５：１、または約１：４から４：１、または約１：３から３：１、または約１：３から２：１、または約１：３から１：１である。いくつかの実施形態において、個々のクレンジングフィーチャのアスペクト比は、単一のクレンジングヘッドまたはそれの部分において変化しうる。
【００３４】
いくつかの実施形態において、クレンジングヘッドの少なくとも１つのエリアに１平方センチメートルあたり約２から１００、または約３から７０、または約５から５０のクレンジングフィーチャがある。いくつかの実施形態において、クレンジングフィーチャ同士の空間、またはクレンジングヘッドまたはクレンジングヘッド部の第１の主要表面の土地部分は、クレンジングヘッドの総第１の主要表面領域の約１％から５０％であり、またはクレンジングヘッドの総第１の主要表面領域の約５％から３０％である。いくつかのそのような実施形態において、クレンジングフィーチャは、１以上の方向で第１の主要表面に実質的に等しく分配されるように間隔をおいて配置される。いくつかの実施形態において、クレンジングフィーチャは第１の主要表面に一定のパターンで配置される。いくつかの実施形態では、クレンジングフィーチャは、第１の主要表面に不規則に配置される。いくつかの実施形態では、クレンジングフィーチャの基礎の設置面は、最も長い長さにおいて、約０．１ｍｍから１０ｍｍであり、または最も長い方向において約０．５ｍｍから８ｍｍ、または約１ｍｍから６ｍｍ、または約２ｍｍから５ｍｍである。いくつかの実施形態においてクレンジングフィーチャのピークまたは高さは基礎から約０．５ｍｍから５ｍｍ、約１ｍｍから４ｍｍ、約１ｍｍから３ｍｍ伸びている。いくつかの皮膚処理装置に使われているブラシによって分け与えられるものと異なる下記に記載される皮膚へストレッチ−スリップ動作を分け与えるために、クレンジングフィーチャは、少なくとも約１ｍｍ２以上、例えば約１ｍｍ２から５ｍｍ２の皮膚への実質的に連続接触表面を有する。この領域は、従来の単一ブラシの皮膚接触領域よりもかなり大きく、下記に記載された皮膚へのストレッチ−スリップ力を加えるのに有益である。
【００３５】
クレンジングフィーチャの形状は、多くの形状において、ピークの面領域は、個々のクレンジングフィーチャの基礎の面領域と同じか少ないものを除いて特定に限定されない。このような形状の利益は、製造が容易であること及び装置の使用中にクレンジングヘッドまたはそれの部分の第１表面においてクレンジングフィーチャがより頑健に固着することである。装置において有益なクレンジングフィーチャの形状は円錐、円錐台、ピラミッド（基礎は三角形を有する）、ピラミッド台、円筒形状、半球形状、角柱（長方形、正方形基礎の三角柱）、角柱台、立方体、直方体、五面体（基礎は長方形状を有する）、五面体台、及び変形したもの、及びそれの変更を含む。ある実施形態においては、クレンジングフィーチャの基礎は、ｘ形状、ｖ形状、ｙ形状、ｕ形状、星形、三日月形、環状、またはいくつかの他の形状であり、及びピークの面が形状を反映したものである。そのようないくつかの実施形態においては、ピーク面は基礎面よりもいくらか小さいものである。ある実施形態においては、基礎面は、１つの区別のしやすい形状を有し、ピーク面は別の区別しやすい形状を有している。例えば、あるそのような実施形態においては、クレンジングフィーチャの基礎は、６角形であり、ピークは半球状である。
【００３６】
上記で列挙した形状の不規則な形状と変形は、ピークに１以上の位置の切れ込みを入れられ、伸ばした角柱形状のフィーチャを含む。きのこ形状（実質的にクレンジングヘッドまたはそれの部の第１の主要表面に面しているところからより大きな体積をもつ中の詰まったまたは空洞な半球または円錐台ピーク部を有する円筒形状の基礎部分）、反転きのこ形状（実質的にクレンジングヘッドまたはそれの部の第１の主要表面に面しているところからより小さな体積をもつ中の詰まったまたは空洞な半球または円錐台ピーク部を有する円筒形状の基礎部分）、フィーチャが基礎部からピーク部へ進むにつれて曲がる、いくつかのケースではフックのような外見を形成する、円錐フィーチャ、その他、通常の知識を有するものが予測できる変形を含む。
【００３７】
いくつかのクレンジングフィーチャ及びクレンジングヘッドの第１表面におけるその配置の例は、図２に示されている。形状デザイン１（アルファブレード）は長方形の基礎面及び刃状ピーク面を有する角柱形状であり、ここで、クレンジングヘッドまたはクレンジングヘッド部におけるアルファブレードフィーチャの配置は、１つに３つの第１のクレンジングフィーチャ、さらに平行な位置に、第１の３つのクレンジングフィーチャから９０°回転して、第２の３つのクレンジングフィーチャによって提供される。形状デザイン２（アルファラッチ）は円型の基礎面及びより小さい円型ピーク面を有する曲がった円錐形状であり、クレンジングヘッドとクレンジングヘッド部におけるそれの配置は、第１の方向にカーブした円錐型状を有する第１の列のフィーチャと第１の方向と約１８０°の第２の方向にカーブした円錐型状を有する第２の列によって並べられる。形状デザイン３（クレステッドウェイブラッチ）は、長方形のピーク面を有し、異なって曲がった円錐形状であり、クレンジングヘッドまたはクレンジングヘッド部における配置は、形状デザイン２のそれと同じである。形状デザイン４（ブレードティップトラッチ）は、ピーク面が長方形である点を除いて形状デザイン２同様である。クレンジングヘッドまたはクレンジングヘッド部における形状デザイン４の配置は、形状デザイン２と同様である。形状５（アルファラッチコンセントリックチェイス）は形状２と同様な形状をしている。しかし、円錐形の曲がる部分の方向が少々不規則とされている。さらに、クレンジングヘッドまたはクレンジングヘッド部におけるフィーチャの全体の空間の配列は、集中的で、直線の列ではない。
【００３８】
図２を参照すると、形状６（ブレードティップトラッチチェイス）は形状４と同じであり、円錐形の曲がる部分の方向がクレンジングヘッドやクレンジングヘッド部においていくらか不規則である。さらに、クレンジングヘッドやクレンジングヘッド部のフィーチャの全体的な空間配列は集中的であり、直線の列ではない。形状７（コンセントリックブレーズ）は、形状１と同じ形状であり、３つの並べられたフィーチャの群が集中パターンで並べられる。形状８（反転きのこ）は、円筒形部または、柄に取り付けられた円錐台フィーチャである。フィーチャは、クレンジングヘッドやクレンジングヘッド部に６角形に詰めた整列で並べられている。特に、形状８の円錐台部は逆さまになるように十分に柔らかい。形状９（インタリンクス）は、とがったピーク面のような刃を有する三日月形状である。フィーチャは、交互的形状でクレンジングヘッドまたはクレンジングヘッド部に配置され、交互的なフィーチャは、クレンジングヘッドまたはクレンジングヘッド部に列で並べられている。形状１０（非反転きのこ）は形状８と同様であり、きのこ形状を逆さにする柔軟性は欠けている。形状１１（スプリットアルファブレード）は、角柱が切れ込みを入れられたとがったピーク面を有する以外は、形状１と同じである。クレンジングヘッドまたはクレンジングヘッド部における形状１１の配置は、形状１と同じ方法である。
【００３９】
いくつかの実施形態において、クレンジングヘッドは２以上の個々のクレンジングヘッド部に分割されており、それぞれの部が複数のクレンジングフィーチャを含む。クレンジングヘッド部は、少なくともそれの第１の主要表面においてクレンジングヘッドの個々に分かれた領域で形成され、その領域は、第２の主要表面に伸ばされる。いくつかの実施形態において、クレンジングヘッドはその厚さ、すなわち、第１の主要表面からそれの第２の主要表面、のすべてにおいて分割されている。クレンジングヘッド部は、洗浄装置の取っ手部へ第２の主要クレンジングヘッド表面に接続することで１以上の作動装置を活動させる１以上のモータによって、１以上の部の動きを許す。皮膚をのばす動きは、皮膚との接触を維持する一方で、１以上のクレンジングヘッド部の動きの間にクレンジングフィーチャの相互作用により与えられる。
【００４０】
皮膚を伸ばす動きの提供するようにデザインされたクレンジングヘッドデザインの代表的な実施形態は、図３Ａ−３Ｆである。１以上のクレンジングヘッド部の同様の変位の動きを達成する多くのその他の形状及び形態は、通常の知識を有するものに想像できるであろう。図３Ａ−３Ｆにおいて、第１の主要表面の形態１５０Ａ−１５０Ｆは、図１のクレンジングヘッドの第１の主要表面１５０の変形である。図３Ａ−３Ｆの形態は、もう一つ別に対応するクレンジングヘッド部の形態及び選択された動きの詳細を示すためのクレンジングヘッドなしのものが示されている。それぞれの実施形態において、振動の動きのはじめの半分は、矢印によって示されており、振動の動きの第２の半分（示されていない）は、矢印によって示されているものから反対の方向である。矢印によるすべての動きは図３Ａ−３Ｆに示されたそれぞれ独立した実施形態における同時期に起こる。図３Ａは、第１の１５０Ａを説明し、第１の直線方向Ａに動く第１の直線動き部１５２が両側に位置する第１の静止した部１５１を含む。図３Ｂは第２の実施形態１５０Ｂを説明し、第２の直線方向Ｂに動いている近接した第２の直線動き部１５２’と交互になる第１の直線方向Ａに動く第１の直線動き部１５２を含む。そのような２つの近接した部は反対の動きは、反対振動としてある実施形態に言及される。図３Ｃは第３の実施形態１５０Ｃを説明し、静止部１５１のそれぞれの両側に第１の水平運動部１５４及び第２の水平運動部１５４’があり、直線方向Ｃに動く第１の水平運動部１５４と直線方向Ｄに動く第２の水平運動部１５４’である。図３Ｄは第４の実施形態１５０Ｄを示し、環状の静止部１５３の内側に位置し、反時計回り方向Ｅに動く円運動部１５６を含む。図３Ｅは第５の実施形態１５０Ｅを説明し、時計回り方向Ｆに動く環状動き部１５６の内側に位置された反時計回り方向Ｅに動く円運動部１５６を含む。そのような２つの近接した円または環状の部の反対回りは反対振動としていくつかの実施形態に言及される。図３Ｆは第６の実施形態１５０Ｆを説明し、環状静止部１５３、円状静止部１５３’、及び反時計回り方向Ｅに動く環状動き部１５６’’を含み、環状動き部１５６’’は環状静止部１５３及び円状静止部１５３’の間に配置される。
【００４１】
それぞれ図３Ｂ及び３Ｅの１５０Ｂ及び１５０Ｅの実施形態として、反対振動の型の動きは２つの運動境界の異なる型という結果をもたらすことを、通常の知識を有するものによって理解される。ここで使われている、運動境界という言葉は、図３Ａ−３Ｆで示された動くクレンジングヘッドまたはクレンジングヘッド部の外端を意味する。運動境界は、それぞれの動きのクレンジングヘッド部の端に存在する。１５０Ｂを参照すると、反対運動は、１５２’の端部に近接している１５２の端部において反対運動境界１５７を提供する一方で、運動境界１５８は単純な運動境界である。同様に、実施形態１５０Ｅを参照すると、反対振動１５６、１５６’は反対運動境界１５７’を提供し、一方で、１５６’の振動は単純な運動境界１５８’を提供する。
【００４２】
上記のように、図３Ａ−３Ｆの実施形態１５０Ａ−１５０Ｆのそれぞれは、振動運動の第１の半分を示し、振動運動の第２の半分は矢印で示された方向から反対の方向である。洗浄装置がオンに切り替えられると、振動運動は装置がオフされるまで続く一連のサイクルを繰り返す。クレンジングヘッド１５０に配置されたクレンジングフィーチャが皮膚に当てられるとき、振動運動は、皮膚を伸ばす運動である。皮膚を伸ばす運動は、特にある定義されたパラメータの範囲内にあるとき利益がある。図４Ａ−５Ｂは、特にそれぞれ図３Ａ及び図３Ｄの実施形態１５０Ａ及び１５０Ｄに関し、これらのパラメータを説明するこの運動の追加の詳細を提供する。実施形態１５０Ａを参照すると、振動の始まりにおける点ｘ及びｙは別々に約０．５ｍｍから８ｍｍである。１つの振動１５０Ａ’の途中で、第１の直線運動部１５２は第１の直線方向Ａに動き、点ｘ及びｙは並べられる。それゆえ、部１５２は静止部１５１に対応して０．５ｍｍから８ｍｍ動く。第１直線運動部１５２は今、クレンジングヘッドが元の形態１５０Ａに戻るまで反対の方向に動き、１つの振動を完了する。
【００４３】
いくつかの実施形態において、第１の直線運動部１５２は、いわば両端に同じように１５０Ａによって置き換えられた位置から振動するように動く、すなわち、すべての変位距離の半分は、１５０Ａ’によって置き換えられ、１５０Ａ−１５０Ａ’は半分の代わりに１サイクルの４分の１を置き換え、そして実施形態１５０Ａにおいて、点ｘ及びｙは別々に約１ｍｍから４ｍｍであることがわかる。それぞれ図３Ｂ及び３Ｅの１５０Ｂ及び１５０Ｅが表しているような、２つの隣接する動くクレンジングヘッド部にとって、すべての変位距離は両方の動き部の運動を考慮に入れなければならない。あるそのような実施形態において、それぞれの動きのクレンジングヘッド部は、それぞれのサイクルですべての変位距離の半分動く。
【００４４】
同様に実施形態１５０Ａ−１５０Ａ’において、実施形態１５０Ｄ−１５０Ｄ’は振動の始まりにおいて、点ｘ及びｙはそれぞれ０．５ｍｍから８ｍｍ、ｚ線に沿って動かされる。１つの振動１５０Ｄ’の途中で、円運動部１５６は反時計回り方向Ｅに動かされ、点ｘ及びｙは並べられる。それゆえ、円部１５６の動きは、点ｙ０．５ｍｍから８ｍｍに動かされる。円運動部１５６は今元の形態に戻るまで時計回り方向に動き、１つの振動運動を完了する。
【００４５】
いくつかの他の実施形態のクレンジングヘッド形態の振動は、例えば図３Ａ−３Ｆで示された他の実施形態、図４Ａ−５Ｂのそれらと同じである。隣り合う動くクレンジングヘッド部に対応するまたは隣り合う静止したクレンジングヘッド部に対応するそれぞれの動くクレンジングヘッド部の１サイクルの総変位は約０．５ｍｍから８ｍｍである。いくつかの実施形態において、１サイクルにおける変位は約１ｍｍから８ｍｍ、または２ｍｍから８ｍｍ、または約２ｍｍから７ｍｍ、または約２ｍｍから６ｍｍ、または約２ｍｍから３ｍｍ、または約３ｍｍから５ｍｍ、または約３ｍｍから４ｍｍである。加えて、サイクル周波数（サイクルあたりの時間）は約５Ｈｚから３０Ｈｚ、または約１０Ｈｚから３０Ｈｚ、または約１５Ｈｚから３０Ｈｚ、または約２０Ｈｚから３０Ｈｚ、または約２５Ｈｚから３０Ｈｚ、または約５Ｈｚから２５Ｈｚ、または約５Ｈｚから２０Ｈｚ、または約５Ｈｚから１５Ｈｚ、または約１０Ｈｚから３０Ｈｚ、または約１０Ｈｚから２５Ｈｚ、または約１０Ｈｚから２０Ｈｚである。
【００４６】
クレンジングヘッドの様々な形態、特にクレンジングヘッド部の数及び形態に関しては、特定のものに限定されず、デザイナーによって選択される。それゆえ、いくつかの実施形態において円中心のクレンジングヘッド部は、反対振動環によって囲まれ、１から３の環状クレンジングヘッド部、または２から５、または実に５から１００の環状クレンジングヘッド部はクレンジングヘッドにおいて集中円で並べられ、反対振動運動は、集中した環状クレンジングヘッド部の振動運動を交互に起こされることで提供される。１つの例では、１つの環状クレンジングヘッド部は環状部のまわりに放射状に並んだクレンジングフィーチャの単一の列を含む。部は、逆振動であり、または振動部は、静止部またはそれの組み合わせと交互に起こされてもよい。同様に、直線振動クレンジングヘッド部は特定のすべての逆振動、または交互に起こる静止／振動部の数に限定されない。
【００４７】
いくつかの実施形態において、クレンジングヘッドは、内部の円部と外部の環状部に含まれる２つのクレンジングヘッド部に分けられ、部の１つは、実質的に洗浄装置の操作の間静止するよう適合され、別の部は環状運動を動かされる。環状運動は、他の円（旋回、ねじれ）変位なしに円または楕円軌道をたどる。そのような実施形態において、内部の円部と外部の環状部の間に形成された変化する隙間は、約０．５ｍｍから８ｍｍの変位である。いくつかの実施形態において、外部の環状部は静止し、内部の円部は０．５ｍｍから８ｍｍの内部及び外部の間の変位を５Ｈｚから３０Ｈｚの周波数で環状に動く。別の実施形態において、内部の円部は、静止し、外部の環状部は、外部の環状部の外周における変位も同様に０．５ｍｍから８ｍｍの内部及び外部の間の変位を５Ｈｚから３０Ｈｚの周波数で環状に動く。
【００４８】
いくつかの実施形態において、クレンジングヘッドの第１の主要表面は、クレンジングヘッド部に分けられていない。代わりに、別に対応するクレンジングフィーチャの動きが底面からエラストマ表面を動かすことによって達成される。そのような実施形態において、クレンジングヘッドは単一で、連続したエラストマの上層がクレンジングフィーチャを支える。クレンジングヘッドの第１の面は、下面から操作され、伸ばされる。いくつかのそのような実施形態においてより複雑な動きのモード、平面または環状の動き及びそのようなものが与えられる。
【００４９】
クレンジングヘッド部の動きは、作動装置にクレンジングヘッド部が取り付けられることによって、運動を作動するために結合されたモータによって促進される。いくつかの実施形態において、クレンジングヘッドは取っ手に取り付けられ、一方、１以上のクレンジングヘッド部は、１以上の作動装置に取り付けられることがわかる。いくつかの実施形態において１以上のクレンジングヘッド部は振動運動を提供するように１以上の作動装置に取り付けられ、一方、１以上の追加のクレンジングヘッド部は、１以上の静止したクレンジングヘッド部を提供するために取っ手に取り付けられる。他の実施形態において、１以上の作動装置は、２以上のクレンジングヘッド部の逆振動運動を提供する。
【００５０】
特に、使用者は、クレンジングヘッドまたはクレンジングヘッド部を動かすモータを連動させることなしに、洗浄装置を使うことは自由である。それゆえ、使用者は単に洗浄活動において、皮膚に対し洗浄装置を動かしクレンジング効果を得てもよい。加えて、洗浄装置は、いくつかの実施形態において、使用者がより大きいまたは少ないサイクルあたりの変位、３０Ｈｚや１００Ｈｚのようなより大きいサイクル周波数、または強度の洗浄や剥離のような特別の目的を達成するためのさまざまな変位及び周波数の組み合わせを用いることができる１以上の設定を含む。
【００５１】
作動装置のクレンジングヘッドの相互作用に関し、１つの例示的な実施形態は、今、振動運動の１つの可能な機構の理解を提供するために詳細に議論される。図１Ｅに関して、クレンジングヘッド１４０及びクレンジング装置１００への装着は、いくらかより詳細に示される。図１Ｆは図１Ｅの洗浄装置の拡大図を説明する。特に、図１Ｆは、洗浄装置１００から取り外し可能なクレンジングヘッド１４０を示し、作動装置機構２００の特徴を明らかにする。
【００５２】
図１Ｇは部分的に作動装置機構２００の分解図であり、洗浄装置１００の取っ手の中に配置された特徴を含む。作動装置機構２００は、第１の駆動２０１及び第２の駆動２０２を含む。第１の駆動２０１はモータ駆動シャフト２１０、ギア機構２２０及び旋回アーム２３０を含む。モータ駆動シャフト２１０は連動部２１２、環状部品２１４、及び環状ギア２１６を含む。環状ギア２１６はモータ駆動シャフト２１０に取り付けられ、そしてそれゆえモータ駆動シャフト２１０に沿って動く。環状部品２１４及び連動部２１２はモータ駆動シャフト２１０でなく、お互いに取り付けられ、そしてそれゆえ環状部品２１４及び連動部２１２はモータ駆動シャフト２１０及び環状ギア２１６とは独立に回転で動くことができる。ギア機構２２０はギア２２２、オフセットピン２２４（図１Ｇにおけるギア２２２から上側に伸びている）、及びセンターピン２２６（図１Ｇのギア２２２から下側に伸びている）。ギア２２２は環状ギア２１６と連動し、センターピン２２６によって間隙を介して静止して保持される（すなわち、センターピン２２６は静止部品と連動する、示されない）。旋回アーム２３０は、環状部品２１４に取り付けられ、支持され、オフセットピン２２４と連動してスライドできるスロット２３２を含む。第２の駆動２０２は外側環状ギア２４０、遊星ギア２５０、及び太陽ギア２６０を含む。外側環状ギアは、連動ピン２４２を含む。太陽ギア２６０は、連動部２１２を受けて適合される連動スロット２６２を含む。太陽ギア２６０、遊星ギア２５０、外側環状ギア２４０は、遊星ギアシステムを形成するために組み合わせられている。
【００５３】
連動部２１２は、連動スロット２６２を操作可能に連動する。第１の駆動２０１及び第２の駆動２０２は、操作可能にモータ旋回シャフト２１０の回転の動きによって環状ギア２１６を動かすことで、反対振動運動を提供することができる。この動きは、図１Ｈ及び１Ｉに示される。図１Ｈは、第１の駆動２０１の上面図である。第１の駆動２０１の動きの１つの完全なサイクルは、モータ旋回環状ギア２１６によって駆動され、図１Ｈに左から右へ示されている。シャフト２１０は、時計回り方向に環状ギア２１６を動かす。時計回り方向へのギア２２２動きがスロット２３２の中のオフセットピン２２４を動かし、旋回アーム２３０を図１Ｈの左から右への形態の列に示されているように第１の反時計回り方向に動かし、それから時計回り方向に動かし、それから反時計回り方向に動かす。ある実施形態においては、図１Ｈに示されているように１つの完全なサイクルにおける旋回アーム２３０のアーチ型の動きは、約２０°から５０°、または約２５°から４５°、または約３０°から４０°の円弧を横断する。連動部２１２は、旋回アーム２３０によって描かれたのと同じ弧で同時に動く。図１Ｉは第１の駆動２０１の連動部２１２が連動スロット２６２の中で連動されているときの第２の駆動２０２の動きの上面図である。第１の駆動２０２の動きの１つの完全なサイクルは、第１の駆動２０１に連動された作動装置によって駆動され、図１Ｉの左から右へ示される。点線は、外側環状ギア２４０に取り付けられた太陽ギア２６０及びピン２４２の関連した動きに関して見通せるように加えて提供されている。太陽ギア２６０の動きは遊星ギア２５０と連動され、ピン２４２の動きによって示されるように、太陽ギア２６０の動きと反対の方向へ外側環状ギア２４０を動かすように働く。図１Ｉに示されている１つの完全なサイクルにおいて外側環状ギアの動きは、約５°から３０°、または約７°から２５°、または約１０°から２０°の角度で横断する。
【００５４】
それゆえ、図１Ｇの作動装置機構２００と連動して働くのに適しているクレンジングヘッドのデザインは、第２の駆動２０２のピン２４２と連動するためにデザインされ適合される環状外側クレンジングヘッド部と、連動部２６２の中心と連動されるためにデザインされ適合された内側円状クレンジングヘッド部を含む。第１の駆動における環状ギア２１６は、図１Ｇに示され、ＤＣモータに接続されている。時計回りかまたは反時計回りの動きによるモータ旋回シャフト２１０及び環状ギア２１６の動きは、図１Ｈ及び１Ｉに示され描かれた動きを起こす。連動スロット２６２の中心の動きは、第１の駆動２０１の連動部２１２を動かして連動されて動かされ、第１の方向（図１Ｈで示された反時計回り）に、それから反時計回り方向に、円状内側クレンジングヘッド部を動かす。同時に、ピン２４２の動きは第２の方向（図１Ｉで示された時計回り方向）に環状外側クレンジングヘッド部を動かす。このような具合で、半径方向の反対振動運動は達成される。他の実施形態においては、ここで提供された例示的な実施形態の記載によって特定して限定されず、通常の知識を有するものに予測され、添付された請求項の主旨及び範囲から外れない。
【００５５】
装置の取り付け部はモータを収納し、直接にＡＣ／ＤＣ電源によって電力を与えられるか、電池式である。さらに取っ手部は、ＤＣまたはＡＣ／ＤＣを通してモータに電力を与えるための電力の利用を促進するための関連した配線、支持体、電力入力を含む。もし直接に電力を入れるならば、コードを設けることにより、使用者は、洗浄装置を標準の壁ソケット（例えば北アメリカでは１２０Ｖ、６０Ｈｚ）に差し込むことができ、ＤＣへ電力を変換する。もし、洗浄装置が電池式ならば充電コードが装置に取り外し可能に取り付けられ、充電コードは劣化した電池を再充電するために標準の壁ソケットに差し込まれる。いくつかの実施形態において装置は電池により電力が供給され、再充電可能であり、使用者に見えるセンサが、使用者に残っている電池の電力の状態を警戒させるための表示と結合されている。いくつかの実施形態において、取っ手はスイッチを含み、使用者は、モータをオンまたはオフする電気的な電力を切り替えることが可能である。
【００５６】
いくつかの実施形態においては、さらに洗浄装置は、ビープ音をならし、振動するタイマ、またはその他使用者に特定の時間の増加量が過ぎたことを知らせるものを収納する。例えば、洗浄装置がオンされたときに、１５秒ごとまたは３０秒ごとまたはある他の間隔で、ならされるビープ音を起こすタイマルゴリズムは、使用者に、彼または彼女が皮膚の別の場所を洗浄し始めるべきであると知らせるのに有益である。タイマの間隔は、一定の時間の間隔になった後、装置を止める、内部に収納された自動的にオフするスイッチと連動して役立つように使用される。例えば、顔を洗浄するためのある実施形態において、時間ごとに繰り返しが実行され、１５秒ごとに振動し、４回の１５秒間隔の後（間にタイマは３回振動する。）、装置は自動的に止まる。いくつかの実施形態において、使用者は皮膚洗浄プログラムを選択（取っ手に据え付けられた制御を通して）でき、タイマと自動停止は顔洗浄、優しい顔洗浄、足洗浄、及びそのようなものがプログラムされる。
【００５７】
いくつかの実施形態において、洗浄装置は防水加工されており、例えば電子部品を収納している取っ手や装置の他の場所に入る水をなくして０．２５ｍまで、１ｍまで、２ｍまで、またはそれ以上の浸水に抵抗することができる。他の実施形態において、洗浄装置は水に抵抗し、すなわち、装置は電子部品を収納する取っ手や装置の他の場所に入る水をなくして洗われたり、濡らされたりでき、電子部品を収納する取っ手や装置の他の場所に入る水をなくして浸すことはできない。
【００５８】
取っ手部は人の平均的な人間の握りに適合し、いわゆる使用者にある与えられた圧力で使用者の顔に接触するクレンジングヘッドの第１の主要表面を楽に設置することができ、顔の表面に渡ってクレンジングヘッドを滑らかに動かすために装置を操作することができる。図１Ａ及び１Ｂに示される実施形態は有益であるが、洗浄装置に用いられる役に立つ取っ手の形状の型に限られない。取っ手の筐体を作るための材料、すなわち、使用者に見える取っ手の部分は、特定に限定されない。一般に、材料またはプラスチック化合物またはこれの組み合わせは筐体を形成するために使われ、またデザインまたは機能の一つ一つがそれに置き換わる。取っ手部を形成するために使われる共通の材料はアクリロニトリルブタジエンスチレン（ＡＢＳ）コポリマである。抗菌、顔料、表面仕上げ及び質感及びそのようなものは、装置の取っ手部に適切に含まれる。
【００５９】
いくつかの実施形態において、クレンジングヘッド、または第１の主要表面を含むそれの部分は、洗浄装置に取り外し可能に添えられる。クレンジングヘッドを取り外すことは、実施形態において、クレンジングヘッドやそれの部分を洗ったり取り替えたりするのに有益である。有益な取り付け機構の例は取り付け具の表面、留め金、掛け金、ねじ、及びいくつかのその他の通常の知識を有するものに知られたそのような機構と一致されたフック及びループを含む。ある実施形態において、クレンジングヘッドの第２の主要表面は、すべてのクレンジングヘッドの除去に影響するために作動装置から外される。他の実施形態において、クレンジングヘッドの取り外し可能な部分は、少なくとも第１の主要表面部分に含まれるエラストマ材であり、あるそのような実施形態において、上述のような取り付け手段は、クレンジングヘッドへエラストマ材を取り外し可能に取り付けるために使用される。他のそのような実施形態において、エラストマ材は少なくともクレンジングヘッドの取り外しできない部分を覆い及び囲うように伸ばされるように適用され、伸ばされたエラストマ材の弾性回復と静摩擦の組み合わせは、クレンジングヘッドにおけるエラストマ材の位置を維持する。
【００６０】
クレンジングヘッドの部分が取り外し可能である洗浄装置の実施形態において、使用者は洗浄したり置き換えたりするためにクレンジングヘッドまたはそれの部分を外すだけでなく、使用者が第１の主要表面のクレンジングフィーチャを置き換えるという洗浄装置の利点がある。それゆえ、実施形態において、洗浄装置は、クレンジングフィーチャの異なる２以上の置き換えのクレンジングヘッドまたはクレンジングヘッド部を含む部品一式の部分である。そのような実施形態は下記でより詳細に記載される。
【００６１】
いくつかの実施形態において、クレンジングヘッドは、簡単に使用の間で洗われるクレンジングフィーチャデザインの利点がある。クレンジングフィーチャの高アスペクト比（毛ブラシと比較したとき、幅：高さが１：５以上、典型的には、１：１０以下のアスペクト比を有する）洗濯可能にクレンジングヘッドに与えられ、ここで、残った洗剤、排泄物、バクテリア、及び死んだ皮膚細胞といった洗浄から残った残骸は、簡単にクレンジングヘッドの表面から洗い落とされる。よって、クレンジングヘッド部は、クレンジングブラシよりも繰り返しの使用において、より衛生的である。さらに、実施形態においてエラストマ組成物は、例えば抗菌化合物及び粒子を含み、クレンジングヘッド表面におけるバクテリアまたは微生物の成長は完全に妨害され、防がれる。それゆえ、本発明のクレンジングヘッドは、ブラシを基礎とする装置比較して、すぐれた清浄度及び／または洗濯可能性をもつ。
【００６２】
＜制御システム＞
洗浄装置は使用者が装置をオン及びオフし、いくつかの実施形態において、運転パラメータを選択することができる制御システム５００（図６参照）を有する。図６を参照すると、ある実施形態において制御装置５００はオン−オフ制御５０２を有する。任意の振動周波数制御５０４及び／または振動増幅制御５０６を有していてもよい。制御はタッチパッドまたはタッチスクリーン（図示せず）におけるここのボタンまたは領域であってもよい。
【００６３】
制御回路５１０は論理回路を有し、またはプログラムされたマイクロプロセッサであってもよく、いずれにせよ様々な入力信号を受け、制御部品や任意の表示に出力信号を提供するようにされている。制御回路５１０への電力は充電可能であってもよく、関連する充電レベルインジケータ５３２を有していてもよい電池５４０から供給される。制御回路５１０は制御論理への入力として用いられる制御５０２、５０４、５０６の状態を感知する入力インターフェースを有している。制御論理は、使用サイクルのためのサイクルタイマとして、または制御に使われる他の時間の間隔をはかるために使われるかもしれないタイマを含んでいる。ある実施形態において、制御回路５１０は２、３または５分またはあらゆる適当な使用間隔のような完全な使用サイクルを定義する１つの長い時間間隔を測定する。その完全な使用サイクルのわずかの時間も測定し、振動周波数における短時間の変化の終了において、ビープ音や他のインジケータが使用者に処理されるための複数の皮膚領域における新しい処理領域に動くことを示すことができる。例えば顔が処理された場合、顔の皮膚は推奨される完全な使用サイクルの部分として装置によって異なった時間に取り組まれる２、３、４、またはそれ以上の領域に分割されることができる。制御回路５１０は、任意のディスプレイ５３０において使用者に表示される文字、画像その他視覚信号を制御する表示ドライバー５１４を任意で含む。別の方法として音響信号のみが、視覚信号の代わりに使用者に信号を提供するために用いられてもよい。このケースにおいて、ディスプレイ５３０は、制御回路５１０の制御の下で、１以上の音を発生するためにベルが鳴る装置や小さい変換器である。ある実施において、制御回路５１０は会話の合成、録音されたコンテンツ、またはその他の手段を用いる人工の人間の会話（例えば、声の指示を与えること）を発生するようなものでもよい。
【００６４】
制御回路５１０も選択された量を供給したり、潜在的に電気モータへの電力及び／または作動信号のパターンを変化できるモータインターフェースを有する。このように、電気モータの動作は、制御されうる。電気モータ５２２は、図３Ａ−４Ｂに示される洗浄表面へ動きを供給する作動装置５４０に操作可能に接続される。制御回路５１０と一体の制御装置５００により、使用者は次に記載されるように、使用中に装置の操作を制御することができる。基本的な制御は、装置がオンまたはオフされることである。他の制御の特徴において、例えば、使用者が快適さ及び有効性といった使用者の知覚を満たすために上記で議論された範囲の中の洗浄表面の振動周波数を制御することだけでなく、上記で議論された範囲の中の動きを増幅することのように洗浄表面の動きを操作することでもよく、圧力と組み合わせて使用者が図３Ａ−４Ｂに示される洗浄表面に影響を与える。２つのパラメータは独立して制御されてもよい。使用者同士で快適さや効果を受けるこれらのパーメーターのレベルについては、様々であるかもしれない。装置によって使用者は、電流レベル及び利用可能な調整範囲の棒グラフを示す、画像のような電流調整状態を示し及び調整するための指導を提供する任意のディスプレイを用いた調整によって、これらの選択を制御することができる。ディスプレイ５３０も、完全処理サイクルまたは個々の部分のための時間測定器を示してもよい。
【００６５】
いくつかの実施形態において、上記のように、洗浄装置は、さらに使用者に特定の時間の増加が過ぎたことを知らせるタイマを収納する。例えば、３０秒ごとにビープ音が鳴らすタイマは、使用者に彼または彼女が皮膚の違う領域を洗浄し始めるべきことを警告するために有益である。時間間隔は、一定の時間の間隔になった後に装置を止める内部に収納された自動オフスイッチと連動して役立つように使用する。１つのそのようなタイミングアルゴリズムを示しているフローチャートは、図７に示されている。時間アルゴリズムは、洗浄装置６１０を始める使用者によって起動され、パラメータ６２０を用いて設定し、洗浄組成物を装置または使用者の皮膚６３０（使用者によって洗われている誰かの皮膚）に塗り、そして第１の領域（ｎ＝１）の洗浄６４０を開始する。前に決定された間隔の後、時間アルゴリズムは、使用者に領域の洗浄は完了したことを知らせる機構（発信音やビープ音を起こすスピーカーや、取っ手を通して振動を送る振動要素、洗浄装置をすぐに止めるスイッチ、及びそのようなもの）へ信号を送る。使用者は、それから洗浄のための皮膚の次の領域へ動くために警告される。そのような時間間隔の決定された数ｎの後、装置は止めるための合図をされ、これは、それぞれの領域が完了した後に、一連のクエリを通して完遂される。それぞれの信号の後、ｎが目標値に届き、装置が止まるまで、１はそれぞれのインターバルの後ｎまで加えられる。
【００６６】
＜部品一式＞
クレンジングヘッドの部分を取り外し可能である洗浄装置の実施形態において、使用者は、きれいにしたり置き換えたりするためのクレンジングヘッドやクレンジングヘッド部を取り外すだけでなく、使用者が第１の主要表面におけるクレンジングフィーチャを交換できる利点がある。それゆえ、実施形態において、洗浄装置は、クレンジングフィーチャが異なる２以上の置換可能する、クレンジングヘッドまたはクレンジングヘッド部を含む部品一式の部分である。
【００６７】
いくつかの実施形態において、部品一式は、少なくとも洗浄装置と２以上のクレンジングヘッドまたはクレンジングヘッド部を含む。ある実施形態において、２以上のクレンジングヘッドまたはクレンジングヘッド部は、実質的に同じであり、他の実施形態において、２以上のクレンジングヘッドまたはクレンジングヘッド部は異なるクレンジングフィーチャを有しまたはそれに配置されたクレンジングヘッドフィーチャの異なる配置を有する。いくつかの実施形態において、部品一式は、実質的に同じである２以上のクレンジングヘッドまたはクレンジングヘッド部を含み、及び加えて異なるクレンジングフィーチャまたはそれに配置されたクレンジングヘッドフィーチャの異なる配置を有する１以上の追加のクレンジングヘッドまたはクレンジングヘッド部を含む。
【００６８】
いくつかの実施形態において、さらに部品一式は取り外し可能に洗浄装置の取っ手に取り付けられる、電源コード及び電力を受けられるように適合されたプラグを含む。いくつかの実施形態において、さらに部品一式は、使わない間の洗浄装置を固定するよう適合される接続架台を含む。いくつかの実施形態において、接続架台は電力を受けるために適合されたプラグを有する電源コードへ装置に接続する、洗浄装置の取っ手に接続するアダプターを含む。いくつかの実施形態において、接続架台は、洗浄装置が接続架台に固定される間、クレンジングヘッドの第１の表面を洗浄するための洗浄機構を含む。いくつかの実施形態において、部品一式は、さらに洗浄装置を使うためにパッケージされた１以上の皮膚洗浄構成を含む。いくつかの実施形態において、部品一式はさらに旅行の間、それを守るための洗浄装置を含むために適合されたスーツケースやバッグのような旅行ケースを含む。
【００６９】
置き換え部品一式も熟考され、そのような部品一式は、洗浄装置と関連するが、洗浄装置は含まない。置き換え部品一式はすでに洗浄装置を所持する使用者のための、置き換え部または構成を含む。１つのそのような部品一式は、実質的に同じ１以上のクレンジングヘッドまたはクレンジングヘッド部を含む。別のそのような部品一式は、異なるクレンジングフィーチャまたはそれに配置されたクレンジングヘッドフィーチャの異なる配置を有する２以上のクレンジングヘッドまたはクレンジングヘッド部を含む。別のそのような部品一式は、１以上のクレンジングヘッドまたはクレンジングヘッド部及び皮膚洗浄の構成を含む１以上のパッケージを含み、構成は、同じでも異なっていてもよい。いくつかの部品一式は、２以上の上記置換部または構成を含む。
【００７０】
いくつかの実施形態において、部品一式はさらに使用者に洗浄装置の使い方を指示するための１以上の指示セット、特化したパッケージ、ラベル、装飾図案、クーポン券、及びそのようなものを含む。
【００７１】
異なるクレンジングヘッドまたはクレンジングヘッド部は、キットに含まれるか否か、使用者に使用されるとき様々な効果を達成するためにデザインされることがわかるであろう、さらに特定の洗剤は、ある実施形態において特定のクレンジングフィーチャの形状または配置と連動して使用に推奨されうる。それゆえ、やさしいマッサージから元気な剥離に属する様々な効果は、置き換えられるクレンジングフィーチャ及び皮膚洗浄構成によって達成される。
【００７２】
＜装置の使用＞
洗浄装置は、ほ乳類の皮膚を洗うのに使われ、特に人間の皮膚である。いくつかの実施形態において、装置は人間の顔の皮膚を洗浄するものとして使われる。いくつかの実施形態において、装置は、人間の顔の皮膚を処理するために使われる。装置は、例えば、洗浄性のまたは非洗浄性の顔の皮膚の洗浄組成物またはローションやジェルやクリーム、またはそれらの組み合わせのような、保湿の組成物のような非洗浄性の処理組成物のような、皮膚洗浄または処理組成物と連動して使われることを目的としている。装置を使うために、使用者は、少なくともクレンジングヘッドの第１の主要表面の一部を皮膚洗浄または処理組成物で覆い（またはそれに代えて組成物を皮膚にぬる）、装置を彼または彼女の顔に当て、そして皮膚を伸ばす動きを始めるために装置をオンする。クレンジングフィーチャの皮膚伸ばし運動は、洗浄組成物と連動したときにある驚きと予期せぬ利点を与える。
【００７３】
皮膚伸ばし運動は、皮膚の表面を伸ばし、皮膚の細胞も伸ばし、使用者に痛みや不快を感じさせることなく、従来のブラシ型の皮膚洗浄器具で達せされるよりも洗浄及び／または処理の及ぶ範囲は広くできる。皮膚伸ばし運動も洗浄動作のように剥離またはスキージを提供する。これらの２つの実際の動きは、洗浄装置はオンであり皮膚に当てられたときのスティックスリップ機構の皮膚表面との関わり、皮膚洗剤とともに、クレンジングフィーチャと組み合わせられた結果である。スティックスリップは摩擦の力の変化によってお互いにくっつけられ、お互いに滑り合う間で交互に起こる表面として記載されることができる。典型的に、２つの表面の静摩擦係数（発見的数）は動摩擦係数よりも大きい。与えられた力は静摩擦を十分超えたとき、それから静から動へ摩擦が減少し運動の速度へ突然飛躍する。
【００７４】
図８は、スティックスリップ動作の理論的物理要素を示す模式図である。駆動システム１０は、バネ２０に接続され、そして負荷３０が水平表面４０に横たわっている。負荷３０と表面４０との間の静摩擦は、重さ（重力）によって決定される。駆動システム１０が始められたとき、バネ２０は負荷をかけられ、負荷３０に対して押す力が負荷３０と表面４０の間の静摩擦係数が超えるまでそれによって増加する。ある点において、負荷３０は、水平に表面４０に渡って滑り始め、静摩擦係数は静の値から動の値へ減少する。滑りが始まった瞬間に、バネ２０は負荷３０を加速する。負荷３０が動いている間、表面４０上の負荷３０の動摩擦を超えることが不十分になるまで、バネ２０によって与えられた力は減る。この点から、負荷３０は減速し、最終的に止まる。駆動システム１０は、しかしながら、連続的にバネ２０に負荷をかけ、そしてスティックスリップサイクルはバネが負荷をかけられるのと同じように再び始まる。負荷が振動されるシステムにおいて、後退され、戻る動きの間スティックスリップサイクルを起こしてもよい。
【００７５】
図８、１０の略図によれば２０はクレンジングフィーチャの弾性（弾性係数）を表し、３０は表面に対して保持されたクレンジングフィーチャを表し、皮膚４０によって表され、重力というよりはむしろ洗浄装置を皮膚へ促進する、使用者によって決定される力とともに、モータによって第１の方向に促される洗浄装置の作動装置を表している。このように、皮膚に対するクレンジングフィーチャの静的及び動的摩擦は、スリップスティック機構に始動される。静的−動的摩擦のバランスは、選択された洗剤及び／または水の使用、皮膚に対するクレンジングフィーチャの摩擦係数、使用者が皮膚に対する洗浄装置に当てる力によって、達成される。洗剤は、洗浄ヘッドの振動運動の間の皮膚表面に摩擦接触を有するクレンジングフィーチャのスティックスリップ動作のスティック部分を減らす。それゆえ、使用者によって与えられた力に応じて、クレンジングフィーチャのスティックスリップ動作のスティック部分によって起こされる伸ばしは、より簡単に調節され、振動サイクルにおける名目上のすべての変位距離に対して減らされる。
【００７６】
スティックスリップ動作のスティック部分は静摩擦が超えられるまで、クリーニングヘッド作動装置によるクレンジングフィーチャの動きによって、皮膚細胞が伸ばされる。それから、スティックスリップ動作のスリップ部分の開始によって、クレンジングフィーチャは皮膚細胞表面にわたって滑る。皮膚洗浄組成物がクレンジングヘッドの第１の主要表面に加えられると、クレンジングフィーチャと皮膚との間の液体接触面の潤滑効果は動きのスリップ部分の間の抵抗をへらし、または使用中の少ないスティックとより多いスリップを起こす静摩擦を減らす。同様に、皮膚に対するクレンジングフィーチャの使用者の与える圧力は、使用中スティックとスリップの間のバランスをとる効果がある。
【００７７】
いくつかの実施形態において、人の皮膚の洗浄及び／または処理する方法は、皮膚及び／または装置のクレンジングヘッドへ洗浄及び／または処理組成物を塗り、クレンジングヘッドを皮膚に接触させ、装置をオンすることを含む。使用者は、所望の処理領域に達せられるため、皮膚に渡って装置のクレンジングヘッドを動かしてもよい。実施形態において、接触は、約１Ｎから１０Ｎ、または約１Ｎから８Ｎ、または約２Ｎから６Ｎ、または約２Ｎから４Ｎ、または約２Ｎから１０Ｎ、または約４Ｎから１０Ｎ、または約２Ｎから８Ｎ、または約２Ｎから６Ｎ、または約３Ｎから５Ｎ、または約４Ｎの圧力を平均のような力を与えることを含む。ある実施形態において、与えられた力は、所望の処理領域（例えば相対的に軽い力が使用者の目の周りのより敏感な顔の皮膚に与えられてもよく、一方で、相対的に強い力が使用者のほおの近くの敏感でない顔の皮膚に与えられてもよい）、クレンジングヘッドと所望の処理領域の間の摩擦係数（例えば塗られる洗浄及び／または処理組成物による修正されるような）、及びその他の要因に基づいて変化してもよい。
【００７８】
いくつかの実施形態において、接触の間のクレンジングフィーチャのスティックスリップ動作、及びさらに塗られる洗浄及び／または処理組成物と結合されたクレンジングヘッドの変位は、クレンジングヘッドの変位の約５％から１００％、またはここで例２で記載されている合成シリコーン皮膚モデルの変位で測定することによって決定したクレンジングヘッドの変位の約５％から９０％、または約１０％から９０％、または約２０％から９０％、または約２５％から９０％、または約３０％から９０％、または約４０％から９０％、または約５０％から９０％、または約５％から８０％、または約５％から７０％、または約５％から６０％、または約５％から５０％、または約１０％から７０％、または約２０％から６０％の皮膚の変位を提供する。それゆえ、例えば、クレンジングヘッドの変位は５ｍｍであり、少なくとも測定された１つの場所における皮膚の変位は、約０．２５ｍｍから４．５ｍｍである。通常の知識を有するものは、それの操作の間に知られた変位を有するクレンジングヘッドの使用中に測定される皮膚変位の変化は、使用される洗浄及び／または処理組成物の選択、クレンジングフィーチャのショア硬度及び摩擦係数並びに使用者によって使用中に与えられる力によって引き起こされる。前述した変更は、スティックスリップ動作及びそれゆえの実際の皮膚変位に影響を与える。
【００７９】
理論によって制限されることの願望なくしては、出願人のクレンジングフィーチャのより大きなブラシのアスペクト比及び柔軟性では、利益があると思われていた方法で皮膚の表面及び表面の下の層を同じくらいには効果的に伸ばしていないことから、クレンジング動作のスティック部分は、ブラシによって得られない効率的な伸ばしによって皮膚を操る利益を得られることがわかる。ブラシは、スリップ動作における皮膚領域に渡る解体する力を与えることに、あまり適合しないこともわかる。上記のように、ブラシは皮膚細胞を持ち上げる傾向があるが、それらを取り除かない。それゆえ、ブラシは、皮膚を荒らす効果がある。対照的に、本発明のクレンジングフィーチャのクレンジング動作はスティックスリップ動作を通して効果的に表面細胞を取り除くことができ、使用者によって観察できる皮膚をなめらかにする効果を生じる。変位及びクレンジングフィーチャの振動運動の周波数と一緒にエラストマクレンジングフィーチャのピーク面は、皮膚表面に払いのけ効果を生じる。この動作は、はがれた皮膚を取り除くが、取り除かれていない他の角質層を上げるために角質層を掘らない。異なる状態において、洗浄装置のクレンジングフィーチャは皮膚表面の粗さを加えることなしに、はがれと粗さであるものを取り除く。
【００８０】
理論によって制限されることの願望なくしては、特定の角度、周波数または人の皮膚の制御された伸ばしの周期、またはそれらの２以上の組み合わせは、微小の細胞外のマトリックスを伸ばし、次に付随された真皮の線維芽細胞の伸ばしを起こす結果をもたらすと信じる。そのような伸ばしは、信じるに、線維芽細胞における好ましい遺伝子発現の変化を起こし、皮膚の細胞外マトリックス（ＥＣＭ）の修復または増加と、皮膚の健康及び外観を改善することを指し示している。細胞外マトリックスはコラーゲン繊維、弾力線維、及び線維の網の中に保たれている保湿分子、例えば、他のタンパク質及びコンドロイチン、ビグリカン、ヒアルロン酸、及びそのようなグリコサミノグリカンで構成される。ＥＣＭを復元することは、外見を改良し、皮膚の年齢発現を減らす結果をもたらす。
【００８１】
皮膚の洗浄組成の様々な型は、限定なく洗浄装置と連動して有益である。一般に、皮膚を洗浄するために従来使われているあらゆる液体、分散、ローション、ジェル、セラム、または溶液が洗浄装置に連動して使われうる。使用される勧められた方法は、クレンジングヘッドの第１の主要表面に洗剤を塗り、それから皮膚へ第１の主要表面を当て、装置をオンすることである。しかしながら、使用者は、皮膚へ洗浄組成物を塗り、それから洗浄装置を皮膚に接触させ、装置をオンすることもできる。ある実施形態において、洗剤のカートリッジは完全にクレンジングヘッドの中に配置され、使用中に、皮膚洗浄組成物または他の組成物を分注するように並べられる。他の組成物は例えば、油または静摩擦を減らすための他の滑る化学物質、収斂剤、にきびのような皮膚を処理するために投薬される組成物、及びそのようなものを含む。カートリッジはいくつかの実施形態において使用者によって詰め替え可能である。他の実施形態において、カートリッジそれ自体が空になったとき使用者によって置き換えられる。いくつかのそのような実施形態において、洗浄装置は、カートリッジが空になったとき使用者に警告する信号を提供するために適合されるセンサを含む。
【００８２】
使用中に、洗浄装置は、使用者によって皮膚の表面のまわりを動かされる。クレンジングフィーチャの皮膚伸ばし運動は皮膚に作用し、及び皮膚洗浄組成物は、クレンジングフィーチャに存在し、皮膚とクレンジングフィーチャの間に存在する。皮膚伸ばし運動はそれゆえ洗浄組成物の利用可能性と連動し、クレンジング動作のスティック部分の間のクレンジングフィーチャの動作によって皮膚の裂け目及び隙間にクレンジングフィーチャによって堆積され、それからさらに洗浄動作のスリップ部分の間皮膚表面に渡って刺激されることができる。
【００８３】
洗浄装置とともに役立つように使われる皮膚洗浄組成物の例は、カリフォルニア州ロサンゼルスのＮｅｕｔｒｏｇｅｎａ社によって販売されているＮｅｕｔｒｏｇｅｎａ  Ｄｅｅｐ  ＣｌｅａｎまたはＵｌｔｒａ  Ｇｅｎｔｌｅ、カナダのケベック州ラバルのＶａｌｅａｎｔ  Ｐｈａｒｍａｃｅｕｔｉｃａｌｓ  Ｎｏｒｔｈ  Ａｍｅｒｉｃａ社によって販売されているＣｅｒａＶｅ  ｃｌｅａｎｓｅｒｓ、ワシントン州レドモンドのＰａｃｉｆｉｃ  Ｂｉｏｓｃｉｅｎｃｅ  Ｌａｂｏｒａｔｒｉｅｓ社によって販売されているＣｌａｒｉｓｏｎｉｃ  ｃｌｅａｎｓｅｒｓ、ニュージャージー州ニューブランズウィックのＪｏｈｎｓｏｎ＆Ｊｏｈｎｓｏｎによって販売されているＡｖｅｅｎｏ  ｃｌｅａｎｓｅｒｓ、アリゾナ州フェニックスのＰｈｉｌｉｓｏｐｈｙ社によって販売されるＰｕｒｉｔｙ  ｃｌｅａｎｓｅｒ、ミネソタ州ロチェスターのＰｈａｒｍａｃｅｕｔｉｃａｌ  Ｓｐｅｃｉａｌｔｉｅｓ社によって販売されるＦＲＥＥ＆ＣＬＥＡＲ（登録商標）ｃｌｅａｎｓｅｒｓ、または棒状のまたは水と混合される液体石けんのような洗剤である。実施形態において、洗剤は非合成洗剤であり、非洗顔フォームである。いくつかの実施形態において、皮膚洗浄組成物は、ラウリル硫酸ナトリウムまたはラウリル硫酸アンモニウムのようなラウリル硫酸塩の欠如という性質を持っている。いくつかの実施形態において、皮膚洗浄組成物は、イオン性界面活性剤の欠如という性質を持っている。いくつかの実施形態において、皮膚洗浄組成物は準液体状態という性質を持っており、すなわち、はちみつと同じような粘性を有し、及び実質的に髪を切ることがない。いくつかの実施形態においては、皮膚洗浄組成物は、揚水性であり、揚水ボトルにいれて届けられる。いくつかの実施形態において、皮膚洗浄組成物は、実質的なざらざらまたは粉っぽい感じのしないなめらかでやわらかな感じの性質を持っている。いくつかの実施形態において、１以上の保湿剤、グリコール、オイルを含んだ皮膚洗剤である。
【００８４】
皮膚洗浄組成物に含まれる有益な組成物の例は、使用中に洗浄装置のスティックスリップ動作を実質的に否定したり、妨害したりするものでないものを含む。いくつかの実施形態において、皮膚洗浄組成物は水、グリセリン、セテアリルアルコール、ポリグリセリル−１０ラウリン酸塩、エチルヘキシルグリセリン、セテアリルグルコシド、カプリリル・グリコール、カルボマー、水酸化ナトリウム、フェノキシエタノールを含む。ある実施形態において、皮膚洗浄組成物は、０．００１％から４％のサリチル酸、または０．５％から３重量％のサリチル酸、または約１重量％から２重量％のサリチル酸を含む。いくつかの実施形態において、皮膚洗浄組成物は、水、ココイルイセチオン酸ナトリウム、グリセリン、スルホン酸Ｃ１４−１６オレフィンナトリウム、グリセレス−２ココエート、ステアリン酸グリセリル、ココイルタウリンメチルナトリウム、アクリレートコポリマ、ＰＥＧ−１８グリセリルオレエート／ココエート、ポレラカオレラセアエキス、カメリアオレイフェラ葉エキス、ハマメリス・バージニアナ（アメリカマンサク）水、ハスの花エキス、パンテノール、ブチレングリコール、アスコルビン酸テトラヘキシルデシル、アラントイン、トコフェロール酢酸エステル、ヒドロキシフェニルプロパミド安息香酸、加水分解ホホバエステル、ヒドロキシエチルセルロース、１０−ヒドロキシデカン酸、乳酸、キサンタンガム、水酸化ナトリウム、ブチルカルバミン酸ヨウ化プロピニル、メチルイソチアゾリノン、香水、アルコール、ニナトリウムＥＤＴＡ銅、及びペンチレングリコールを含む。いくつかの実施形態において、皮膚洗浄組成物は水（水溶液）ラウロアンホ酢酸ナトリウム、トリデセス硫酸ナトリウム、Ｌｉｍｎａｎｔｈｅｓアルバシードオイル（メドウフォーム）、ココグルコシド、ココヤシアルコール（ココナッツ）、ジオレイン酸ＰＥＧ  １２０メチルグルコース、Ａｎｉｂａ  Ｒｏｓａｅｏｄｏｒａ（ローズウッド）オイル（ローズウッド）、Ｇｅｒａｎｉｕｍ  Ｍａｃｕｌａｔｕｍ（ゼラニウム）オイル、グアヤクエキス（Ｇｕａｉａｃｕｍ  Ｏｆｆｉｃｉｎａｌｅ）、レモングラスマティーニ（パルマローザ）、ダマスクス・ローズエキス、Ａｍｙｒｉｓ  Ｂａｌｓａｍｉｆｅｒａ（西部インディアンローズウッド）Ｂａｒｋ  Ｏｉｌ、サンタラム・アルバム（サンダルウッド）、サルビアオフィシナリスオイル（セージ）、シナモンカッシア葉オイル、アンティミスノビリス（ローマンカモミール）フラワーオイル、ダウカス・カロタ・サティバ（にんじん）シードオイル、パイパー二グラム種子エキス（こしょう）、ポリソルベート２０、グリセリン、カルボマー、トリエタノールアミン、メチルパラベン、プロピルパラベン、クエン酸、イミダゾリジニル尿素、及び黄色４号（ＣＩ  １９１４０）を含む。スティックスリップ機構の利益は、従来のブラシタイプの皮膚洗浄装置によって達せられる以上の完璧な洗浄動作を含む。クレンジングヘッド動作のスティック部分は細胞を伸ばし、使用者に不快感を起こさせることなく、洗浄のためにより広い表面領域をさらす。それに続くスキージ動作が、従来のブラシタイプの洗浄装置よりも効果的に皮膚表面からはがれた汚れを取り除く。���膚におけるスキージ動作によって続く伸ばしは死んだ細胞を効果的に取り除くのに役立つため、追加の効果は、剥奪である。追加の利益は、クレンジングヘッド動作のスリップ部分の間に提供され、スキージ動作で細胞表面に渡って滑らされるクレンジングフィーチャのデザインによって最適化されることによる、皮膚をなめらかにすることである。クレンジングヘッドの下に塗られる洗剤の１つの所望の効果は、それらが、クレンジングヘッドが皮膚の操作及び皮膚表面のスティック／スリップ動作によって落とすことができる排泄物及び死んだ細胞を乳化するのに役立ことである。装置を使用した後に洗剤を落とすことで、それから落とした死んだ細胞や排泄物を取り除くことができる。
【００８５】
理論によって限定されることなしに、今のところは洗浄装置を使用することによって提供される追加の効果は、下の真皮層の中の線維タンパク質（コラーゲン）の生産を増加させることであると思われる。５−２５Ｈｚで約０．５ｍｍから８ｍｍ皮膚表面を伸ばすことは、約２０−１００ミクロン下の真皮層の個々の線維芽細胞の伸ばしを生じる。それにより、距離を伸ばすことは、皮膚の深さ方向には少なくなり、細胞への機械的な刺激として動作するかもしれない個々の細胞の伸ばしを引き起こすように思われる。伸ばしのこの型は、タンパク質の生産を増加する線維芽細胞の反応を生じる証拠となる。例えば、Ｌｅｅ，Ｓ．Ｌ．ら”Ｐｈｙｓｉｃａｌｌｙ−Ｉｎｄｕｃｅｄ  Ｃｙｔｏｓｋｅｌｅｔｏｎ  Ｒｅｍｏｄｅｌｉｎｇ  ｏｆ  Ｃｅｌｌｓ  ｉｎ  Ｔｈｒｅｅ−Ｄｉｍｅｎｓｉｏｎａｌ  Ｃｕｌｔｕｒｅ”、ＰＬＯＳ  Ｏｎｅ７（１２）、ｅ４５５１２（Ｄｅｃｅｍｂｅｒ  ２０１２）参照。
【００８６】
さらに我々は、洗浄装置を使う皮膚洗浄の動き、周波数、増幅、期間は特にビグリカンといった皮膚の水締め分子に変化をもたらすという結果を発見した。これは、予期できない急速な変化であり、２つのみの結果であり、８時間の中で洗浄の２分間隔で起きた。過去に、皮膚の水締め分子にはほとんど注意が払われなかった。しかしながら、我々のビトロデータにおいて、発明の洗浄装置の使用は急速に皮膚の水締め容量を改善することが、示唆される。これは、外見において急速な変化を提供することが期待でき、増加されたコラーゲンの発現と、改善された組織はやがて続いて起こる。
【実施例１】
【００８７】
真皮環境をまねたコラーゲンゲルで覆われる、３次元細胞培養の足場材で培養された、４８−５６歳の白人女性から生じる、３ＡＡＴＣＣ真皮線維芽細胞線を用いて、本発明の発明者は、ＲＮＡ遺伝子、Ｃｏｌ−１、デコリン、ＴＧＦ−β、及びビグリカンを試験するためのＲＴ−ｑＰＣＲ分析によって静的及びサイクル的伸ばしに応答する組織の検査を初期化した。ＴＧＦ−β経路は、人の皮膚結合組織における細胞外マトリックス生産物の主要な調節弁である。ＴＧＦ−βの損傷は、コラーゲンの生産の減少、年を取った人の皮膚での創傷治癒の易感染の結果をもたらす。Ｃｏｌ−１はタイプＩコラーゲンの構成要素を生産し、タイプＩのコラーゲン前駆体を生産するために他のコラーゲン構成要素と結びつける。デコリンは、コラーゲン繊維形成と関連し、デコリン欠損マトリックスは皮膚のコンドロイチン／デルマタン硫酸レベル及びケラチノサイト機能に影響を与える。ビグリカン欠損の表現効果は、コラーゲン繊維の異常と結びつけられ、デコリン欠損によって相乗作用され、そして骨及び他の結合組織におけるエーラス・ダンロス症候群のような変化を起こす。
【００８８】
細胞線は、必要とされるまで液体窒素に１ｍＬ刻みで維持された。準備するために、液体窒素から取り除かれ、３７℃の水槽で溶かされ、そしてＴ７５フラスコに７．５％のウシ胎仔血清（ＦＢＳ、マサチューセッツ州ウォルサムＴｈｅｒｍｏ  Ｆｉｓｈｅｒ  Ｓｃｉｅｎｔｉｆｉｃから得られる）が補充されているダルベッコ変法イーグル培地（ＤＭＥＭ、ミズーリ州セントルイスのＳｉｇｍａ−Ａｌｄｒｉｃｈ社から得られる）に置かれた。この培地の組成物は２６時間の２倍を提供した。９０％の密集で１０５ｍＬの細胞集中が達成されるまで、細胞は５％の二酸化炭素で湿気のある雰囲気で、３７℃で成長された。細胞は、５代継代過ぎて利用されなかった。この点について、細胞は、４分間トリプシン／ＥＤＴＡを用いるフラスコから分離され、８分間５００Ｇで遠心分離器にかけられ及び足場材の種が準備されている7.5%ＦＢＳが補充されているＤＭＥＭに再構成される。
足場材が生産される慣行は、Ｋ．Ｔａｍｉｈａｔａ、Ｍ．Ｓｕｚｕｋｉ、Ｔ．Ｏｋａ、及びＹ．ＩＫＥＤＡのＡ  ｎｅｗ  ｒｅｓｏｒｂａｂｌｅ  ｍｏｎｏｆｉｌａｍｅｎｔ  ｓｕｔｕｒｅ、Ｐｏｌｙｍ．  Ｄｅｇｒａｄ．  Ｓｔａｂ．  １９９８、５９（５１）：１３−１８の技術によって、７５：２５の割合でι−ラクチド及びε−カプロラクトン−開環共重合により合成される脂肪族のポリエステルコポリマから構成される。足場材の大きさは、ＢＯＳＥ  ５２００Ｂｉｏｄｙｎａｍｉｃｓチャンバー（アメリカ、ミネソタ州イーデンプレーリーのＢＯＳＥ  ＥＳＧから得られる）の大きさに適合するために０．５ｃｍの厚さで、１ｃｍの直径であった。使われた足場材を覆う手段は、Ｒｅｎｔｓｃｈ  Ｂらの試験管内特性のＡｎｎ  Ｂｉｏｍｅｄ  Ｅｎｇ  ２００９ａ、３７：２１１８−２１２８の”Ｅｍｂｒｏｉｄｅｒｅｄ  ａｎｄ  ｓｕｒｆａｃｅ  ｍｏｄｉｆｉｅｄ  ｐｏｌｙｃａｐｒｏｌａｃｔｏｎｅ−ｃｏ−ｌａｃｔｉｄｅ  ｓｃａｆｆｏｌｄｓ  ａｓ  ｂｏｎｅｓｕｂｓｔｉｔｕｔｅ”に記載されている。要約すると、豚の皮膚のコラーゲンＩ（ドイツ、ノイシュタットグレーヴェのＭＢＰ社から得られる）は、０．０１Ｍ酢酸の中に漂っていた。足場材にコラーゲンＩを静止させることで、懸濁液はリン酸緩衝溶液（ＰＢＳ−６０ｍＭ  Ｐｉ、２７０ｍＭ  ＮａＯＨ、ｐＨ７．４）に希釈されていた。３７℃で４時間の培養の後、足場材は乾燥され、架橋され、次に０．１Ｍ  Ｎ−（３−ジメチルアミノプロピル）−Ｎ−エチルカルボジイミドヒドロクロライド及び０．０５Ｍ  Ｎ−ヒドロキシスクシンイミド（ミズーリ州セントルイスのＳｉｇｍａ−Ａｌｄｒｉｃｈ社から得られる）を加える。これを、４０％エタノールのｐＨ５．５の０．１Ｍリン酸緩衝された。室温で６時間後、足場材は再び乾燥され、それから０．１Ｍリン酸緩衝ｐＨ９で１５分、４Ｍ塩化ナトリウム及び超純水で３０分４サイクル洗われた。殺菌処理は、２５ｋＧｒａｙでガンマ線で行われる（ドイツ、ラーデベルクのＳｙｎｅｒｇｙ  Ｈｅａｌｔｈ  Ｒａｄｅｂｅｒｇ社から得られる）。
【００８９】
Ａ  ＢＯＳＥ  Ｅｌｅｃｔｒｉｃｆｏｒｃｅ  ５２００（アメリカ、ミネソタ州イーデンプレーリーのＢＯＳＥ  ＥＳＧから得られる）シリーズのＢｉｏｄｙｎａｍｉｃｓ４チャンバーテストシステムは、定流状態で力を加えられる一方で、生理学的に関連性のある環境において足場材に種をまかれた細胞を維持するようにできている。足場材に種をまかれた細胞は、Ｂｉｏｄｙｎａｍｉｃｓチャンバーの中で、通気性のない圧迫プレートの真ん中に置かれた。チャンバー及び閉ループ揚水システムは１００ｍｌ／ｍｉｎの一定流量で３７℃で５００ｍｌの成長培地で満たされた。Ｂｉｏｄｙｎａｍｉｃｓシステム及び管装備品は３７℃、ＲＨ％  ２５、ｐＨ７．４の環境チャンバー（オハイオ州マリエッタのＣａｒｏｎ  Ｐｒｏｄｕｃｔｓ  ａｎｄ  Ｓｅｒｖｉｃｅ社から得られる）に格納されていた。基準サンプルは、機械的負荷はなく、流体静力学負荷のみ与えられて４サンプル圧迫プレートに置かれて保持された。
【００９０】
覆われた足場材は、６つの良いプレートに置かれ、細胞懸濁液の２５０μｌは足場材に置かれた。足場材はそれから細胞接着を促進するために３７℃で１時間培養された。７．５％ＦＢＳで補充されたＤＭＥＭはそれから足場材に種をまかれた良い含んだ細胞に投与され、５％の二酸化炭素の湿気のある雰囲気で３７℃で培養された。培地は、３日間２４時間ごとに代えられた。３日後、足場材は無菌で６つの良いプレートから取り除かれ、機械的な負荷のためのｂｉｏｄｙｎａｍｉｃｓチャンバーに積まれた。
【００９１】
＜静負荷＞
基準線比較のために、静圧縮が１分間５００ｋＰａ（ランプ速度５０ｋＰＡ／秒）で与えられた。この静試験方法は、機械試験のための実験的な手順を確立し、静圧縮の影響を評価するために定義された。圧縮負荷はさらに１分間与えられる前にそれから１４分間最大（ランプ速度５０ｋＰａ／秒）の１０％（５０ｋＰａ）で負荷前の状態に減らされた。すべての４つの機械的に負荷をかけられた足場材と４つの基準サンプルは、この研究の進行中試験された。実験手順の終了後、足場材は、チャンバーから取り除かれ、分別を行い、ＲＴ−ｑＰＣＲ（カリフォルニア州ハーキュリーズのＢｉｏ−Ｒａｄ  Ｌａｂｏｒａｔｏｒｉｅｓ社から得られるｉＣｙｃｌｅｒ）による分析の前に、即座に２４時間の−８０℃冷凍に置かれた。
【００９２】
＜動負荷＞
皮膚相似器官における選択された分子の応答への動負荷の影響を試験するために、動負荷が５００ｋＰａから５０ｋＰａの間で２分間１５Ｈｚの割合でかけられた。圧縮負荷はさらに２分間１５Ｈｚでかけられる前に、８時間最大の１０％（５０ｋＰＡ）で負荷前の状態に減らされた。すべての９つの機械的に負荷をかけられた足場材と９つの基準サンプルはこの研究の進行中試験された。実験手順の終了後、足場材は、チャンバーから取り除かれ、分別を行いＲＴ−ｑＰＣＲ（Ｂｉｏ−Ｒａｄ  ｉＣｙｃｌｅｒ）による分析の前に、即座に２４時間の−８０℃の冷凍に置かれた。
【００９３】
＜ＲＮＡ抽出及び定量的な実時間ポリメラーゼ連鎖反応（ＲＴ−ｑＰＣＲ）＞
総ＲＮＡは製造の指示通り、ＴＲＩｓｐｉｎ法を用いて抽出され、逆転写がＯｍｎｉｓｃｒｉｐｔ  ｋｉｔ（カリフォルニア州バレンシアのＱｉａｇｅｎ社から得られる）を使うことにより実行された。結果のｃＤＮＡが一定量に分けられたものは、問題となっている分子のための人間特定プライマーセットを使ってＢｉｏ−Ｒａｄ  ｉＣｙｃｌｅｒで増幅された。結果として得られたものは、ハウスキーパー１８Ｓで標準化された。
【００９４】
＜統計学的分析＞
平均データ、標準偏差、及びエラーバーはＭｉｃｒｏｓｏｆｔ  ＥＸＣＥＬ（登録商標）（ワシントン州レドモンドのＭｉｃｒｏｓｏｆｔ社から得られる）を用いて蓄積及び計算がされた。ペアの学生がｔ試験をＭｉｃｒｏｓｏｆｔ  ＥＸＣＥＬ（登録商標）を使っておこなった。０．０５より大きいものを有意と考えた。
【００９５】
＜結果＞
発生されたデータは、動機械負荷の型の応用は、皮膚及び創傷治癒に関連する有益な分子の生産に期待できる上方調整を生産する。これらの結果のより詳細は次に提供される。
【００９６】
＜人の真皮線維芽細胞への静圧縮の効果＞
静圧縮負荷の型は予測された通り、基準（負荷しない）サンプルと比較した静的に負荷されたサンプル（ｎ＝４）においてコラーゲンＩ及びＴＧＦ−β（図９Ａ及び９Ｂ）の発現において下方調整を生産する。この結果は、システムは、予測通り、静的刺激に応答するという強い基準線の証拠を提供する。それ故に、この皮膚の相似器官システムとともに動的負荷刺激を進めることは理にかなっていると考えられる。
【００９７】
＜人の真皮線維芽細胞における動圧縮負荷の効果＞
ビグリカン、コラーゲンＩ、デコリン、及びＴＧＦ−β（図１０Ａ−１０Ｄ）の発現における動圧縮負荷型への皮膚相似器官の応答は様々であった。デコリンの発現は、処理されていない基準サンプル（ｎ＝９）と比較したとき、明白に上方の調整が観測された。ビグリカン、コラーゲンＩ及びＴＧＦ−β発現は、基準（負荷しない）サンプルと比較したとき動的に負荷されたサンプルにおいて上方に調整されることが明示されると思われる。
【００９８】
理論により制限されることなしに、下の真皮の層の個々の線維芽細胞伸ばすことから容易に見える役に立つ効果に加えて、振動サイクルのスティック部分の間に洗浄表面の伸ばす動きは、排泄物や死んだ細胞が捕まっているかもしれない他の細いクレンジングフィーチャと細胞の間の間質の空間を開けるために皮膚表面を操作する。さらに、この動きは、開けて、そしてそれから毛穴の緩みを許すかもしれない。これは、毛穴において詰められたり生成されたりする材料を除去することを手助けする一種のポンプ動作の結果である。皮膚の特徴及び毛穴のこの開口も、洗剤が入るのを許す。
【実施例２】
【００９９】
合成皮膚サンプルは次の手順によって準備された。第１に、次の構成要素が混合された。ポリオルガノシロキサン７５−８５重量％、アモルファスシリカ２０−２５重量％及び白金シロキサン錯体０．１重量％の混合物を３０重量％、ポリオルガノシロキサン６５−７０重量％、アモルファスシリカ２０−２５重量％、及び他の構成要素１０重量％の混合物を３０重量％、シリコーン液体（非反応性シリコーンオイル）を８．６重量％、及び最終硬化材料の硬さと手触りを変えるポリオルガノシロキサンの混合物３１．４％。融合した構成要素は、２ｍｍの厚さのフィルムに流し込まれ、フィルムが周囲の研究室の温度で、約８時間の間静置されることで硬化された。それから白色素の２０重量％が総構成要素重量に基づく構成要素が加えられたが、同じ構成要素が、同じ割合で融合された。白色素層は硬化されたフィルムの主要な側面の一方に流し込まれ、硬化することを許された。
【０１００】
両方の硬化段階が完了した後、図１１Ａに示される鋳型シートは硬化されたシリコーンフィルムの上面に置かれた。図１１Ａに描かれた点線は、５００μｍの孔として提供され、そして硬化されたシリコーンフィルムは鋳型の孔を使って印をつけられた。図１１Ａにつけられた印の距離はミリメートルを表す。印は、逆回り伸ばし動作によってシリコーンフィルムの変位を測定するための集中円の連続を描く。図１１Ｂは集中円を示し、インナ１（図１１Ａの中心点から４．２ｍｍの半径に相当する）、インナ２（中心から８．３ｍｍの半径に相当する）、アウタ（中心から１６．５ｍｍの半径に相当する）、及びエクスターナル（中心から２３．５ｍｍの半径に相当する）というラベルがつけられている。
【０１０１】
図１で示されたそれらと同様な全体の装置形態を有する洗浄装置、図３Ｅの１５０Ｅと同様な逆振動クレンジングヘッド形態は、洗浄装置によって人工の皮膚表面の変位を示すために用いられた。装置の逆振動クレンジングヘッドの大きさやその他の外観は、表１に示されている。テスト治具は合成皮膚サンプル及び洗浄装置を固定するように設計され、さらに４Ｎの応用された力を使って合成皮膚表面に洗浄装置のクレンジングフィーチャが接触するように提供された。
【０１０２】
【表１】
2017524481.tif 000003
【０１０３】
印をつけられたシリコーンフィルムは、表１の皮膚洗浄装置とそれが操作可能に接触する間、変位を測定するために使われた。第１に、洗浄液体（アリゾナ州フェニックスのｐｈｉｌｏｓｏｐｈｙ社から得られるＰｕｒｉｔｙ  Ｍａｄｅ  Ｓｉｍｐｌｅ）の０．３５ｍＬはクレンジングフィーチャの表面に塗られた。それから装置及びシリコーンフィルム（合成皮膚）は、中心点（図１１Ａに示されるシリコーンフィルムに印をつけられている）がシリコーンフィルムの白側にクレンジングヘッドの中心が接触するようテスト治具に載せられた。テスト治具は、シリコーンフィルムとクレンジングフィーチャの間で４Ｎの均一の接触力を提供した。高速カメラ（５００Ｈｚ、おおよそ２００フレーム／秒）は、接触した領域に隣接して位置し、白（接触した）側の反対のシリコーンフィルム側がカメラによって撮影されるようにし、図１１Ａの鋳型を用いるフィルムに置かれた印がカメラの撮影範囲ですべて観察できるようにした。
【０１０４】
洗浄装置とカメラがオンされた。クレンジングヘッドが逆回転している間、シリコーンフィルムのそれぞれの印は、撮影され、そしてその平均位置へのそれぞれの印の位置の距離が計算された。それぞれの印のために、平均から最大変位は、計算され、そして範囲を見積もるために２倍にされた。画像分析アルゴリズムは、Ｐｙｔｈｏｎによって書かれ、ＯｐｅｎＣＶを使っていた。分析は、ビデオのそれぞれのフレームの測定位置を撮影し、シリコーンフィルムの印の変位を計算する。図１１Ｃは、ミリメータ単位でカメラによって測定された変位を示す。図１１Ｃから約５．４ｍｍの変位がいくつかの測定された位置において約２ｍｍの範囲に相当する約１ｍｍのシリコーン変位をもたらすことを見ることができる。
【実施例３】
【０１０５】
８週間の洗浄試験が人の被験者を使って行われた。実施例２の洗浄装置は、クレンジングフィーチャの型が、表２で示されるように様々にされるということを除いた研究で用いられ、そして逆振動の周波数は１５Ｈｚであった。逆振動の振幅は５ｍｍであった。洗浄装置は、さらに使用中の使用時間及びクレンジングヘッドに与えられる力のような、使うパラメータを記録するための基板に取り付けられたデータを収集、記録するシステムを含んでいた。実験２の洗剤は研究に使われた。表２は洗浄試験の手順とパラメータを概説し、試験に使われるクレンジングフィーチャを表示している。
【０１０６】
【表２】
2017524481.tif 000004
2017524481.tif 000005
2017524481.tif 000006
【０１０７】
臨床的評価者の評価及び被験者の評価点の結合された平均評定による研究結果は、グラフを使って図１２−１９に描かれている。８週間試験を超えた連続改良は、すべての評定分野に見られる。図１２は、皮膚なめらかさが不足かどうかの評価を示す。図１３は、顔の皮膚の柔らかさが不足かどうかの評価を示す。図１４は、顔の皮膚の毛穴の外見の評価を示す。図１５は、乏しい顔の皮膚の質感の評価を示す。図１６は、顔の皮膚の透明感が不足かどうかの評価を示す。図１７は、顔の皮膚の輝きが不足かどうかの評価を示す。図１８は、全体の顔の皮膚の外見の評価を示す。図１９は、顔の皮膚の洗浄能力が不足かどうかの評価を示す。
【０１０８】
＜追加の実施形態＞
実施形態において、装置は作動装置システム（例えば作動装置機構２００の第２の駆動２０２）の１以上の部品から構成されるクレンジングヘッドを含む。クレンジングヘッドはさらに特定の引っ張りへ周期的ひずみを皮膚に提供し、それから肌を緩和させることを許す実質的に非線形（例えば円）逆振動型運動をさせるような複数の動作部を有する。非線形逆振動型の運動は、有益に使用中に自然な手の位置調整と一致して改良された快適と運動を提供する。動作部は、内側直径約２６．４ｍｍ及び外側直径４１ｍｍを有する外側環状部によって囲まれた直径約２５．４ｍｍを有する内側円部を有する。動作部はさらにショア硬度約２５のエラストマ組成物を有する１以上のクレンジングフィーチャを有する。クレンジングフィーチャは反転きのこ形状（図２、形状８）、インタリンクス形状（図２、形状９）、スプリットアルファブレード形状（図２、形状１１）、またはそれらの組み合わせを有する。
【０１０９】
装置は使用時に内側円部は３６°±２°（約７．８ｍｍの円弧）の回転振幅を有し、そして外側環状部は、１５°±２°の回転振幅を有するように構成される。接触している動くクレンジングヘッド部と対応するかまたは静止しているクレンジングヘッド部と対応するそれぞれの動くクレンジングヘッド部の円周期（回転あたりの時間）は、約１５Ｈｚである。装置はさらに約０ｍｍから１２ｍｍ、または約２ｍｍから１２ｍｍ、または約２ｍｍから８ｍｍ、または約４ｍｍから６ｍｍ、または約５ｍｍの振幅を有する皮膚変位を起こすようにされている。装置は、細胞が炎症性物質の有害な水準を生産することを予測される点に、真皮細胞を伸ばすであろう最大を超えることがない変位を起こすように決められても良い。しっかりつかむことと滑ることは、さらに伸ばすことへの皮膚の抵抗が、しっかりつかむための表面の能力をこえる点へ皮膚を動かすために重要になる可能性がある。
【０１１０】
装置は、伸ばすことへの皮膚の抵抗の広い範囲にわたって、実質的に一定の量の皮膚の変位を提供するようにされている。特に、装置は、運動への抵抗の広い範囲を超えて１５Ｈｚの一定速度で操作されるようにされる。もし使用者が、相対的に高い圧力を与えた場合、モータがまだ同じ周波数で維持されるが、皮膚及び下の脂肪と筋肉は相対的に大きい程度で抵抗するかもしれず、より大きな抵抗を操作するためにより大きな電流／トルクを与えることになる。
【０１１１】
＜皮膚クレンジングヘッド部＞
いくつかの実施形態において、皮膚洗浄システムは、第１及び第２のエラストマクレンジングフィーチャをそれぞれ有し、第１及び第２の皮膚クレンジングヘッド部の間によって定義され、配置された反対運動境界を有する第１及び第２の皮膚洗浄ヘッド部を含んでいても良い。第１及び第２の皮膚クレンジングヘッド部の両方は、第１及び第２の皮膚クレンジングヘッド部に、共通している平面において回帰性の動きに関連したその他に変換するようにしてもよい。第１及び第２のクレンジングフィーチャは、同じパターンのフィーチャでもよい。第１の皮膚クレンジングヘッド部は円型でもよく、第２の皮膚クレンジングフィーチャは、環状で第１の皮膚クレンジングヘッド部の回りに配置されている。回帰性の動きは、第１及び第２の皮膚クレンジングヘッド部に共通な平面と垂直な方向の部品を有していても良い。
【０１１２】
＜複数のパターンの形態＞
いくつかの実施形態は、異なるクレンジングヘッド部に及び／または同じクレンジングヘッド部の中に、異なる種類のクレンジングフィーチャを有するかもしれない。例えば、単一のクレンジングヘッド部の中に、第１の形状（例えば反転きのこ形状）が第２の形状（例えば、逆さになっていないきのこ形状）とともにまたは中にまき散らされているかもしれない。別の例として、第１のクレンジングヘッド部（例えば、クレンジングヘッドの内側円）に第１のクレンジングフィーチャ（例えば、反転きのこ形状）があり、そして第２のクレンジングヘッド部（例えばクレンジングヘッドの外側環状）に第２のクレンジングフィーチャ（スプリットアルファブレード形状）があってもよい。
【０１１３】
＜非平面クレンジングヘッド部＞
クレンジングヘッドの実施形態が実質的に平面（図１参照）として示されている一方、ヘッドは、平面である必要も平面のみである必要もない。クレンジングヘッドは、実質的に三次元形状を有していてもよい。例えば、図２０は、三次元の円錐台形状を有するクレンジングヘッド７１０を描く。クレンジングヘッド３つのクレンジングヘッド部、部７１２、部７１４、部７１６を有する。ヘッドの異なる部分におけるクレンジングヘッド部７１２、７１４、及び７１６の配置は、鼻の近くの角部、下まぶた、口またはその他の領域のような顔の届きにくい領域の洗浄を促進することができる。部７１２、７１４、及び７１６は、お互いに関連して逆振動をするかもしれない。クレンジングヘッドのこの実施形態が円錐台形状を有することを示されている一方で、他の形状ももちろん可能であり、円筒、ピラミッド、角柱、球、立方体、他の形状、またはそれらの組み合わせに限られない。
【０１１４】
＜複数のクレンジングヘッド部形状＞
いくつかの実施形態において、複数のクレンジングヘッド部があってもよい。例えば、２、３、４、５、６、それ以上のクレンジングヘッド部があってもよい。部は振動またはさもなければ１以上の他の部に関連して動くかもしれない。部は、必要でないが、集中、インターレース、限局性、重複、線状、非線状、他の型、またはそれらの組み合わせで配置されていてもよい。例えば、インターロッキングのヘッド部（例えば、オリンピックの輪のような）でもよい。
【０１１５】
＜滑るピンの実施形態＞
いくつかの実施形態において、皮膚の有益な変位（例えば伸ばし及び／または圧縮）は、一般的に、皮膚の表面に垂直に、例えば図２１Ａ及び２１Ｂに描かれているフィーチャを装置に使うことによって、装置の使用者によって与えられる手の圧力を超過して力を移すことによって達成されるかもしれない。特に、これらの図は、一般的に組織を置き換えるためにピン８０２に皮膚に垂直に力を移すための実施形態の部品を描いている。ピン８０２はとがっておらず、モータ８０８によって駆動された回転カム８０４に乗り、板８１０に開口を通して滑るようにされた非穿通性のピンであることができる。回転カム８０４は増加された高さを有する回転カム８０４の部である傾斜８０６を含む。例えば、図２１Ａ及び２１Ｂに描かれているように、傾斜８０６は曲がった傾斜部、平らな台地及びそれから曲がった下り部を有す。他の傾斜８０６の形態も、可能であり、波状の、でこぼこの多い、平らな、または他の形状を有していてもよい。
【０１１６】
装置を使うことによって、使用者は、彼または彼女自身の顔に装置の板８１０を接触させ、皮膚伸ばし運動を始めるために装置をオンにする。回転カム８０４を回転するように、傾斜８０６はいくつかのピン８０２に使用者の皮膚を伸ばすかそうでなければ動かすために板８１０に及ぶピン８０２のいくつかを上げたり下げたりさせる。この装置の滑るピンの形態は使用者の頭の上またはあごひげを生やした使用者の顔の皮膚のような、典型的には髪に覆われた領域に改良された皮膚の変位を提供することを装置に可能としてもよい。
【０１１７】
＜接続性及び指導＞
ある実施形態において、装置は加えられた機能のために分離した装置に接続する機能を含んでいてもよい。例えば、装置は携帯電話、タブレット、コンピュータ、または他の装置と有線または無線（Ｂｌｕｅｔｏｏｔｈ（登録商標）、Ｗｉ−Ｆｉ、または他の無線通信技術）の接続を作るようにしてもよい。接続性は、装置の使用を追跡すること、装置の使用中に使用者によってクレンジングヘッドに与えられる圧力を追跡すること、使用者に装置を使用することを思い出させること、装置の機能を管理すること、及びその他の機能のような様々な特徴ができるようになるかもしれない。特別な例として、使用者は、Ｂｌｕｅｔｏｏｔｈ（登録商標）を使う彼または彼女の携帯電話と装置を組み合わせて、携帯電話にアプリケーションを立ち上げてもよい。アプリケーションは、装置からデータを受け、使用者に取り扱う装置の最適な使用を指導してもよい。例えば、アプリケーションは、使用者が彼または彼女の顔へのしっかりしすぎたまたは軽すぎる圧力を与えている装置からデータ（例えば装置のモータの電流引き込み）を受けてもよい。アプリケーションは、装置の適当な使用を使用者に示す図表またはビデオを提供してもよい。アプリケーションは、次に装置を適用する時と場所を使用者に述べてもよい。
【０１１８】
＜可変の調整＞
装置のいくつかの実施形態は、装置によって提供される皮膚の変位の量、または変位の動きの周波数のような装置の調整機能のために特徴を提供することができる。いくつかの実施形態は、ヘッドの置換可能な部によって動かされる距離を制御する調整器を提供することによって皮膚の変位の量のための調節を提供してもよい。例えば装置は、ヘッドの置換可能な部のための第一の発動機、電気的に付加的に制御される回転変位を有するステッピングモータのようなものを含んでいてもよい。モータは、クレンジングヘッドの置換可能な部が第１の調整可能な距離を逆進及び同じ道を戻る前に第１の調整可能な距離を動くことをさせるようにすることができる。例えば、モータは逆進する前に第１の距離を回転するようにしてもよい。第１の距離は、装置によって提供される皮膚変位の量を制御するために使用者（例えばスイッチや制御つまみ）によって、変更可能にすることができる。特定の実施において、距離は、約０．５ｍｍから８ｍｍの範囲の中ならばどこでもとることができる。これはそれから上述したスティックスリップ動作に基づく皮膚伸ばし変位の量の調整を許す。装置は、使用者に彼らがもつ皮膚の型、かれらの皮膚が変位の抵抗にどのくらい強いか、一番よい結果を提供する周波数は何か、を決定し、及びそのように装置を適切に設定させることができる機能を提供してもよい。
【０１１９】
いくつかの実施形態において、周波数及び／または変位は洗浄のパターンの部分として変えてもよい。例えば、周波数及び／または変位を上げられたり下げられたりする周期（例えば、１０秒、２０秒、または他の時間の周期）があってもよい。いくつかの実施形態において、周波数と変位は周波数が増加すると、変位が減少し、またはその逆であるような反比例関係を有していてもよい。洗浄のパターンは使用者の体の異なる部分に対応してもよい。例えば、第１の周波数及び／または変位の設定が体の第１の領域（例えば、使用者の額）で使われ、第２の周波数及び／または変位の設定が体の第２の領域（例えば、使用者の目の下）で使われることができる。体の領域は、厚さや薄さのような皮膚の特性に基づいて選択される。
【０１２０】
＜毛穴変位＞
特別な理論で限定されることなしに、スティックスリップ動作は毛穴のひずみを生じ、それの洗浄を促進する。例えば、装置は、反対方向へ動くフィーチャとともに毛穴をまたがるか、そうでなければ毛穴の開き及び／または毛穴に隣接した領域にひずみを生じることができる。毛穴のひずみは、毛穴の中及び外での洗剤の動きにそれを洗浄することを促進することを起こさせることができる。
【０１２１】
＜取っ手及びヘッド部の間の関係＞
装置のヘッド部はヘッド部が一般的に広げる方向の第１の軸を定義してもよい。同様に取っ手部は、取っ手部が一般的に広げる方向に第２の軸を定義してもよい。第１及び第２の軸の関係は、人間工学、機械配置、美的感覚、及びその他の要因を含む形態考慮に基づいて様々であってもよい。いくつかの実施形態において、軸の間の角度は０°（ヘッドと取っ手が実質的にお互いに並べられている）、３０°、４５°、９０°（ヘッドと取っ手は実質的にお互いに垂直になっている）、及び／または他の関係であることができる。いくつかの実施形態において、取っ手及びヘッド部はヘッドの交換（例えば異なるまたは改良された機能を提供するために）、装置の洗浄、メンテナンス、または他の機能を促進するために分離可能であってもよい。
【０１２２】
＜形状９（インタリンクフィーチャ）の実施形態＞
図２２Ａ及び図２２Ｂは、いくつかの実施形態に従う形状９（インタリンク）のリンクのそれぞれ上面図と側面図を描く。リンクは、様々な大きさの内半径ｒ１を有することができ、限定されないが約０．５ｍｍから３ｍｍ、または約０．５ｍｍから２．５ｍｍ、または約１ｍｍから２．５ｍｍ、または約１ｍｍから２ｍｍ、または約１．４ｍｍから２ｍｍ、または約１．５ｍｍから１．７ｍｍ、または約１．５５ｍｍから１．７ｍｍ、または約１．５５ｍｍから１．６５ｍｍ、または約１．６ｍｍを含む。リンクは実質的に半径ｒ１に垂直な直径φ１を有する。リンクがおよそ半円形状である実施形態において、直径φ１は実質的に半径ｒ１の２倍であってもよい。リンクは準楕円である実施形態において、直径φ１は、半径ｒ１と異なる関係であってもよく、限定されないが、半径ｒ１の約０．２５倍から１．７５倍、または約０．５倍から１．７５倍、または約０．５倍から１．５倍、または約０．７５倍から１．５倍、または約０．７５倍から１．２５倍、または約１倍を含む。部材の角度に依存するが、１以上のリンクが重なっているかそうでなければ交差することができる。リンクは様々な大きさの幅ｗ１を有することができ、これに限定されないが、約０．２ｍｍから１．４ｍｍ、または約０．２ｍｍから１．２ｍｍ、または約０．４ｍｍから１．２ｍｍ、または約０．４ｍｍから１ｍｍ、または約０．６ｍｍから１ｍｍ、または約０．６ｍｍから０．９ｍｍ、または約０．７ｍｍから０．９ｍｍ、または約０．７ｍｍから０．８５ｍｍ、または約０．７５ｍｍから０．８５ｍｍ、または約０．８ｍｍである。
【０１２３】
リンクは、略幅ｗ１の２倍を足した直径φ１の外側直径φ２を有する。リンクは、リンクの基礎からリンクの丸い部分の基礎へ様々な大きさの高さｈ１を有することができ、これに限定されないが、約０．２５ｍｍから３ｍｍ、または約０．２５ｍｍから２．５ｍｍ、または約０．７５ｍｍから３ｍｍ、または約０．７５ｍｍから２．５ｍｍ、または約１．２５ｍｍから２．５ｍｍ、または約１．２５ｍｍから２ｍｍ、または約１．４ｍｍから２ｍｍ、または約１．４ｍｍから１．６ｍｍ、または約１．５ｍｍ、または約１．４８ｍｍを含む。リンクのこの丸まった部分は、さまざまな大きさの半径ｒ２を有することができ、これに限定されないが、約０ｍｍ（丸まっていない）から０．４ｍｍ、または約０ｍｍから０．３ｍｍ、または約０．０３ｍｍから０．３ｍｍ、または約０．０３ｍｍから０．２ｍｍ、または約０．０６ｍｍから約０．２ｍｍ、または約０．０６ｍｍから約０．１５ｍｍ、または約０．０９ｍｍから０．１５ｍｍ、または約０．０９ｍｍから０．１２ｍｍ、または約０．１ｍｍを含む。リンクが円の半分（例えば１８０°部分について）で示されている一方で、いくつかの実施形態において、リンクは、異なる角度を有する部分であることができ、これに限定されないが、約０°から３６０°、または約０°から２７０°、または約９０°から２７０°、または約９０°から２１０°、または約１２０°から２１０°、または約１８０°を含む。
【０１２４】
＜形状１１（スプリットアルファフィーチャ）の実施形態＞
図２３Ａ及び２３Ｂは、いくつかの実施形態に従う形状１１（スプリットアルファブレード）の実施形態のそれぞれ上面図及び側面図を描いている。実施形態の反対側の第１の組み合わせは、さまざまな大きさの長さｌ１を有することができ、これに限られないが、約２．５ｍｍから６．５ｍｍ、または約２．５ｍｍから６ｍｍ、または約３ｍｍから６ｍｍ、または約３ｍｍから５．５ｍｍ、または約３．５ｍｍから５．５ｍｍ、または約３．５ｍｍから約５ｍｍ、または約４ｍｍから５ｍｍ、または約４ｍｍから４．７５ｍｍ、または約４．２５ｍｍから４．７５ｍｍ、または約４．５ｍｍである。実施形態の反対側の第２の組み合わせは、長さｌ１に対応する様々な大きさの長さであることができ、これに限られないが、長さｌ１に対して、約０．２５倍から約２倍、または約０．２５倍から１．７５倍、または約０．５倍から１．７５倍、または約０．５倍から１．５倍、または約０．７５倍から１．５倍、または約０．７５倍から１．２５倍、または約１倍である。実施形態の切り込みは様々な大きさの幅ｗ１を有することができ、これに限られないが、約０．１ｍｍから０．７ｍｍ、または約０．１ｍｍから０．６ｍｍ、または約０．２ｍｍから０．６ｍｍ、または約０．２ｍｍから０．５ｍｍ、または約０．３ｍｍから０．５ｍｍ、または約０．３ｍｍから０．４５ｍｍ、または約０．３５ｍｍから０．４５ｍｍ、または約０．４ｍｍを含む。
【０１２５】
実施形態の谷の中心の間の距離ｄ１は様々な大きさをとることができ、これに限られないが、０．５ｍｍから３．５ｍｍ、または約０．５ｍｍから３ｍｍ、または約１ｍｍから３ｍｍ、または約１ｍｍから２．５ｍｍ、または約１．２５ｍｍから２．５ｍｍ、または約１．２５ｍｍから２ｍｍ、または約１．２５ｍｍから１．７５ｍｍ、または約１．５ｍｍを含む。実施形態の第１及び第２のピークの間の距離ｄ２は様々な大きさを有することができ、これに限られないが、約０．５ｍｍから３．５ｍｍ、または約０．５ｍｍから３ｍｍ、または約１ｍｍから３ｍｍ、または約１ｍｍから２．５ｍｍ、または約１．２５ｍｍから２．５ｍｍ、または約１．２５ｍｍから２ｍｍ、または約１．２５ｍｍから２ｍｍ、または約１．２５ｍｍから１．７５ｍｍ、または約１．５ｍｍを含む。実施形態の第２及び第３のピークの間の距離ｄ３は様々な大きさを有することができ、これに限られないが、約０．５ｍｍから３．５ｍｍ、または約０．５ｍｍから３ｍｍ、または約１ｍｍから３ｍｍ、または約１ｍｍから２．５ｍｍ、または約１．２５ｍｍから２．５ｍｍ、または約１．２５ｍｍから２ｍｍ、または約１．２５ｍｍから２ｍｍ、または約１．２５ｍｍから１．７５ｍｍ、または約１．５ｍｍを含む。１以上のピークは、丸まった頂上を有することができ、丸まった頂上は、さまざまな大きさの直径を有し、これに限られないが、約０．１ｍｍから１．５ｍｍ、または約０．１ｍｍから１．２５ｍｍ、または約０．２ｍｍから１．２５ｍｍ、または約０．２ｍｍから１ｍｍ、または約０．３ｍｍから１ｍｍ、または約０．３ｍｍから０．７５ｍｍ、または約０．４ｍｍから０．７５ｍｍ、または約０．４ｍｍから０．７５ｍｍ、または約０．４ｍｍから０．６ｍｍ、または約０．５ｍｍを含む。ピークは、さまざまな基礎からの高さｈ１を有することができ、これに限られないが、約０．５ｍｍから５ｍｍ、または約０．５ｍｍから４ｍｍ、または約０．７５ｍｍから４ｍｍ、または約０．７５ｍｍから３ｍｍ、または約１ｍｍから３ｍｍ、または約１ｍｍから２．５ｍｍまたは約１．５ｍｍから２．５ｍｍ、または約１．５ｍｍから２．２５ｍｍ、または約１．７５ｍｍから２．２５ｍｍ、または約２ｍｍを含む。
【０１２６】
＜形状８及び１０（反転及び非反転きのこ）の大きさ＞
図２４Ａ及び２４Ｂは形状８及び１０（反転及び非反転きのこフィーチャ）のそれぞれ上面図と側面図を描く。実施形態はさまざまな大きさの外側直径φ１を有することができ、これに限られないが、約１ｍｍから６ｍｍ、または約１ｍｍから５ｍｍ、または約２ｍｍから５ｍｍ、または約２ｍｍから４ｍｍ、または約２．５ｍｍから４ｍｍ、または約２．５ｍｍから３．５５ｍｍ、または約２．７５ｍｍから３．５５ｍｍ、または約２．７５ｍｍから３．２５ｍｍ、または約３．０５ｍｍから３．２５ｍｍ、または約３．１５ｍｍを含む。実施形態は、さまざまな大きさの内径φ２を有することができ、これに限られないが、約０．９ｍｍから４ｍｍ、または約０．９ｍｍから３ｍｍ、または約１．１ｍｍから３ｍｍ、または約１．１から２．７ｍｍ、または約１．４ｍｍから２．４ｍｍ、または約１．８ｍｍから２．４ｍｍ、または約１．８ｍｍから２ｍｍ、または約１．９ｍｍを含む。
【０１２７】
実施形態は、さまざまな大きさの基礎直径φ３を有することができ、これに限られないが、約０．７５ｍｍから２．７５ｍｍ、または約０．７５ｍｍから２．５ｍｍ、または約１ｍｍから２．５ｍｍ、または約１ｍｍから２．２５ｍｍ、または約１．２５ｍｍから２．２５ｍｍ、または約１．２５ｍｍから２ｍｍ、または約１．５ｍｍから２ｍｍ、または約１．５ｍｍから１．８ｍｍ、または約１．７ｍｍから１．８ｍｍ、または約１．７５ｍｍを含む。実施形態は、様々な大きさの高さｈ１を有することができ、これに限られないが約１ｍｍから５ｍｍ、または約１ｍｍから４ｍｍ、または約１．６ｍｍから４ｍｍ、または約１．６ｍｍから３．６ｍｍ、または約２．１ｍｍから３．６ｍｍ、または約２．１ｍｍから３．１ｍｍ、または約２．４ｍｍから３．１ｍｍ、または約２．４ｍｍから２．８ｍｍ、または約２．６ｍｍを含む。実施形態の頂上は、様々な大きさの深さｄ１を有するくぼみを有することができ、これに限られないが、０ｍｍ（くぼみなし）から約１．４ｍｍ、または約０．２ｍｍから１．４ｍｍ、または約０．４ｍｍから１．４ｍｍ、または約０．４ｍｍから１．２ｍｍ、または約０．６ｍｍから１．２ｍｍ、または約０．６ｍｍから１ｍｍ、または約０．７ｍｍから１ｍｍ、または約０．７ｍｍから０．９ｍｍ、または約０．８ｍｍを含む。実施形態はきのこの頂上から直径が変遷する部分への距離ｄ２は様々な大きさを有することができ、これに限られないが約０．１ｍｍから１．３ｍｍ、１．３ｍｍから１．３ｍｍ、または約０．３ｍｍから１．１ｍｍ、または０．５ｍｍから１．１ｍｍ、または約０．５ｍｍから０．９ｍｍ、または約０．６ｍｍから０．９ｍｍ、または約０．６ｍｍから０．８ｍｍ、または約０．７ｍｍを含む。実施形態は直径変遷位置と実施形態の外側表面の間の様々な角度θ１を有することができ、これに限られないが、約０°から１８０°、または約０°から１３５°、または約１０°から１３５°、または約１０°から１１０°、または約２０°から１１０°、または約２０°から８５°、または約３０°から８５°、または約３０°から６０°、または約３５°から６０°、または約３５°から５５°、または約４０°を含む。
【０１２８】
＜追加または変更の使用＞
いくつかの実施形態は、第１に洗浄の事情について記載されていたが、開示された実施形態は、その目的のために使用される必要もその目的のためだけに使用される必要もない。いくつかの実施形態において、実施形態は皮膚の処理（例えば老化防止処理、抗ニキビ処理、毛穴減少処理、たこ処理、または他の処理）、皮膚の応用製品（例えば、日焼け止め剤、お肌の保湿剤、老化防止クリーム、またはその他の製品）、またはその他の応用に使われることができる。
【０１２９】
装置は、さまざまな形態の置き換え可能なクレンジングヘッド部を有する部品一式の中に含まれていてもよい。使用者は、伸ばす強度または使用者の個々の皮膚の型に効果的に所望の水準に相当する所望の形態を選択することができる。互換性は、クレンジングフィーチャ、１以上のクレンジングヘッド部、及び／またはクレンジングヘッドを置き換え可能にできるようにすることで達成されてもよい。
【０１３０】
ここで説明に役立たせるために開示された発明は、特にここで開示されていないあらゆる要素が欠如して適当に実施することができる。発明が様々な改良や変更した形態を受け入れる余地がある一方で、それの詳述は、実施例によって示され、詳細に記載されている。しかしながら、発明は、記載された特定の実施形態に限定されるものではないことを理解されるべきである。反対に、発明は発明の主旨及び範囲の中を失わない改良物、等価物、代替物を包含することができる。様々な実施形態において、発明は、適当にここで記載されクレームに従って権利要求された要素を包含し、から基本的に構成され、からなる、
【０１３１】
加えて、ここで記載された、それぞれの及びすべての発明の実施形態は、単独にまたはここで記載された他の実施形態と同じような発明の主旨及び範囲の中を失わないそれらの改良物、等価物、代替物とまたは組み合わせて使用されることを意図する。上述した様々な実施形態は図を使った説明の方法によってのみ提供され、ここで添付された特許請求の範囲に限られて理解されるべきでない。さまざまな改良や変更が例示の実施形態、図で説明され、ここで記載された応用に従うことなしに、特許請求の範囲の真の主旨及び範囲から外れることなしにできることは認識されるであろう。
【図１Ａ】
2017524481.tif 000007
【図１Ｂ】
2017524481.tif 000008
【図１Ｃ】
2017524481.tif 000009
【図１Ｄ】
2017524481.tif 000010
【図１Ｅ】
2017524481.tif 000011
【図１Ｆ】
2017524481.tif 000012
【図１Ｇ】
2017524481.tif 000013
【図１Ｈ】
2017524481.tif 000014
【図１Ｉ】
2017524481.tif 000015
【図２】
2017524481.tif 000016
【図３Ａ】
2017524481.tif 000017
【図３Ｂ】
2017524481.tif 000018
【図３Ｃ】
2017524481.tif 000019
【図３Ｄ】
2017524481.tif 000020
【図３Ｅ】
2017524481.tif 000021
【図３Ｆ】
2017524481.tif 000022
【図４Ａ−４Ｂ】
2017524481.tif 000023
【図５Ａ−５Ｂ】
2017524481.tif 000024
【図６】
2017524481.tif 000025
【図７】
2017524481.tif 000026
【図８】
2017524481.tif 000027
【図９Ａ】
2017524481.tif 000028
【図９Ｂ】
2017524481.tif 000029
【図１０Ａ】
2017524481.tif 000030
【図１０Ｂ】
2017524481.tif 000031
【図１０Ｃ】
2017524481.tif 000032
【図１０Ｄ】
2017524481.tif 000033
【図１１Ａ】
2017524481.tif 000034
【図１１Ｂ】
2017524481.tif 000035
【図１１Ｃ】
2017524481.tif 000036
【図１２】
2017524481.tif 000037
【図１３】
2017524481.tif 000038
【図１４】
2017524481.tif 000039
【図１５】
2017524481.tif 000040
【図１６】
2017524481.tif 000041
【図１７】
2017524481.tif 000042
【図１８】
2017524481.tif 000043
【図１９】
2017524481.tif 000044
【図２０】
2017524481.tif 000045
【図２１Ａ】
2017524481.tif 000046
【図２１Ｂ】
2017524481.tif 000047
【図２２Ａ】
2017524481.tif 000048
【図２２Ｂ】
2017524481.tif 000049
【図２３Ａ】
2017524481.tif 000050
【図２３Ｂ】
2017524481.tif 000051
【図２４Ａ】
2017524481.tif 000052
【図２４Ｂ】
2017524481.tif 000053
【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
取っ手と、
前記取っ手の中に配置され、作動装置が取り付けられた電気モータと、
第１の主要表面と第２の主要表面を有するクレンジングヘッドと、
を備え、
前記モータと前記作動装置は、約５Ｈｚから３０Ｈｚの周波数で振動運動を与えるように適合され、
前記第１の主要表面は前記第１の表面から離れるようにのび、約１：５から１０：１のアスペクト比を有する複数のエラストマクレンジングフィーチャを有し、
それぞれのクレンジングフィーチャは、少なくとも約１ｍｍ２の皮膚と接触するための表面を有し、
前記作動装置は、それが振動運動するようにクレンジングヘッドの第２の表面に取り付けられ、
前記振動運動は、振動あたり約０．５ｍｍから８ｍｍの総変位を提供する洗浄装置。
【請求項２】
前記クレンジングヘッドが２以上のクレンジングヘッド部に分割されている請求項１に記載の洗浄装置。
【請求項３】
前記振動がアーチ型または円型の振動である請求項１または２に記載の洗浄装置。
【請求項４】
前記クレンジングヘッドの前記第１の表面は、２以上の前記クレンジングフィーチャの形状、相対的な前記クレンジングフィーチャの配置、または両方から構成される請求項１乃至３のいずれか１項に記載の洗浄装置。
【請求項５】
前記第１の主要表面は、１平方センチメートルあたり２から１００の前記クレンジングフィーチャを有する請求項１乃至４のいずれか１項に記載の洗浄装置。
【請求項６】
前記クレンジングフィーチャが前記クレンジングヘッドの前記第１の表面と一体となっている請求項１乃至５のいずれか１項に記載の洗浄装置。
【請求項７】
前記エラストマは、完全可逆ひずみが約５％−７００％、ショア硬度約１０−５０、及び人の顔の皮膚に対する摩擦係数が約０．２−０．８の特性でしめされている請求項１乃至６のいずれか１項に記載の洗浄装置。
【請求項８】
前記クレンジングフィーチャが基礎の設置面で最も長い部分が約０．１ｍｍから１０ｍｍで、約０．５ｍｍから５ｍｍの高さを有する角柱または角柱錐台を有する請求項１乃至７のいずれか１項に記載の洗浄装置。
【請求項９】
前記エラストマは、ポリジメチルシロキサンまたは熱可塑性ポリウレタンを有する請求項１乃至８のいずれか１項に記載の洗浄装置。
【請求項１０】
前記エラストマは、抗菌性の銀組成物を有する請求項１乃至９のいずれか１項に記載の洗浄装置。
【請求項１１】
前記総変位は、約０．５ｍｍから１２ｍｍである請求項１乃至１０のいずれか１項に記載の洗浄装置。
【請求項１２】
前記作動装置は、分離可能に前記クレンジングヘッドの前記第２の主要表面に取り付けられる請求項１乃至１１のいずれか１項に記載の洗浄装置。
【請求項１３】
さらに前記クレンジングヘッドの前記第１の主要表面の少なくとも一部に塗られる洗浄組成物を備える請求項１乃至１２のいずれか１項に記載の洗浄装置。
【請求項１４】
前記取っ手は約５Ｈｚから３０Ｈｚの範囲を超えた前記振動運動周波数、または約０．５ｍｍから１２ｍｍの範囲を超えた前記総変位、または両方を調整するための１以上の調整制御機能を備える請求項１乃至１３のいずれか１項に記載の洗浄装置。
【請求項１５】
前記１以上の調整制御機能は、段階制御機能である請求項１４に記載の洗浄装置。
【請求項１６】
単一の調整制御機能は、前記振動運動周波数及び前記総変位の両方を調節するために適合される請求項１４に記載の洗浄装置。
【請求項１７】
取っ手の付いた装置と、
前記取っ手の中に配置され、作動装置が取り付けられた電気モータと、
第１の主要表面と第２の主要表面を有し、２以上のクレンジングヘッド部に分割される実質的に平面のクレンジングヘッドと、
前記クレンジングヘッドの振動運動の間、皮膚の表面と摩擦接触するクレンジングフィーチャのスティックスリップ動作のスティック部分を減らす液体、分散、ローション、ジェル、セラム、または溶液からなる群から選ばれた洗剤と、
を備え、
前記モータ及び前記作動装置は、約５Ｈｚから３０Ｈｚの周期で前記振動運動を与えるために適合され、
前記第１の主要表面は、前記第１の表面から離れ、約１：５から１０：１のアスペクト比を有する複数のエラストマクレンジングフィーチャを有し、
それぞれのクレンジングフィーチャは、少なくとも約１ｍｍ２の皮膚と接触するための表面を有し、
前記作動装置は、振動あたり約０．５ｍｍから８ｍｍの総変位を有する１以上の前記クレンジングヘッド部に前記振動運動を与えるために前記クレンジングヘッドの前記第２の主要表面に取り付けられる皮膚洗浄システム。
【請求項１８】
さらに、実質的に平らな前記クレンジングヘッドの振動の振幅の制御、実質的に平らな前記クレンジングヘッドの振動の周波数の制御、システムの処理サイクルの期間または処理サイクルの部分、および装置の使用者表示からなる群から選択された１以上の機能を制御するための前記電気モータと接続する制御システムを備える請求項１７に記載の皮膚洗浄システム。
【請求項１９】
前記クレンジングフィーチャが約１平方ｍｍ以上の皮膚と実質的に連続接触表面を有する請求項１７または請求項１８に記載の皮膚洗浄システム。
【請求項２０】
前記クレンジングフィーチャが約１平方ｍｍから５平方ｍｍの皮膚と実質的に連続接触表面を有する請求項１７または請求項１８に記載の皮膚洗浄システム。
【請求項２１】
第１及び第２のエラストマクレンジングフィーチャをそれぞれ備える第１及び第２の皮膚クレンジングヘッド部と、
前記第１及び前記第２の皮膚クレンジングヘッド部によって定義され、その間に配置されている反対運動境界と、
を備え、
前記第１及び前記第２のエラストマクレンジングフィーチャの両方は、０．５ｍｍから５ｍｍの高さを有し、約１：５から１０：１のアスペクト比を有し、
それぞれのクレンジングフィーチャは、少なくとも約１ｍｍ２の皮膚と接触するための表面を有し、
前記第１及び前記第２の皮膚クレンジングヘッド部の両方は、前記第１及び前記第２の皮膚クレンジングヘッド部に共通な平面で回帰性の動きで他方と関連して動くようにされる皮膚洗浄装置。
【請求項２２】
前記第１及び第２のクレンジングヘッド部は同じパターンの前記フィーチャを備える請求項２１に記載の洗浄装置。
【請求項２３】
前記第１の皮膚クレンジングヘッド部は、円であり、前記第２の皮膚クレンジングヘッド部は、環状で、前記第１の皮膚クレンジングヘッド部の周りに配置されている請求項２１または請求項２２に記載の洗浄装置。
【請求項２４】
前記回帰性の動きは、前記第１及び前記第２の皮膚クレンジングヘッド部と共通な平面と垂直な方向に部品を備える請求項２１乃至２３のいずれか１項に記載の洗浄装置。
【国際調査報告】
2017524481.tif 000054
2017524481.tif 000055
2017524481.tif 000056
2017524481.tif 000057
2017524481.tif 000058
2017524481.tif 000059